(57)【特許請求の範囲】
【請求項１】
検出コイル、発振回路、発振検出回路および該検出コイルが設けられた検出口を備え、発振回路の発振を発振検出回路が検出した第１状態と、該発振回路の発振の停止または減衰を発振検出回路が検出した第２状態とに状態変化するよう構成されると共に、電磁波により第２状態から第１状態に状態変化される検出センサユニットと、
磁性体から構成され、前記検出口に配設されて前記検出コイルの内側に位置し、前記発振回路の発振を停止または減衰させて前記検出センサユニットを第２状態に維持する金属球と、
前記検出コイル内に前記金属球が位置するよう前記検出センサユニットおよび該金属球を保持するケース体とを備え、
前記検出センサユニットは、前記検出コイル、発振回路および発振検出回路を収容した矩形箱状のセンサ装置本体と、該センサ装置本体に貫通形成された前記検出口とを備え、
前記ケース体は、前記検出口の開口方向に対向する第１半体および第２半体からなり、前記第１半体および第２半体は、ケース基体の周縁部から壁部が互いに対向する方向へ向けて突出した箱状に形成されて、該第１半体および第２半体の間に前記検出センサユニットおよび金属球を収容すると共に、前記第１半体および第２半体のケース基体は、金属球の直径寸法だけ離間して該金属球を挟持するよう構成され、
前記第１半体のケース基体は、前記センサ装置本体における前記検出口が開口する一方の外面に対向すると共に、前記第２半体のケース基体は、前記センサ装置本体における前記検出口が開口する他方の外面に対向し、
前記第１半体および第２半体のケース基体の内壁面には、前記検出センサユニットを挟んで対向する前記壁部間に亘って延在する規制部が複数設けられ、
前記規制部は、前記ケース基体の内壁面から前記センサ装置本体の外面に向け斜めに突出すると共に、該規制部の突出先端の全面がセンサ装置本体の外面に当接するようになっており、
前記遊技盤に対して直交する方向から取付可能な取付部が前記ケース体の壁部外面に形成されて、該遊技盤に対する当該取付部の取付方向に対して前記検出センサユニットの検出口の開口方向が斜めに交差するよう構成され、
前記遊技盤に対する取付方向から前記取付部を該遊技盤に取り付けることで、遊技盤に対し上方から下方にかけて後方に傾斜した斜め方向に前記検出口が向くよう前記検出センサユニットが保持される
ことを特徴とする遊技機における不正検出装置。
【請求項２】
検出コイル、発振回路、発振検出回路および該検出コイルが設けられた検出口を備え、発振回路の発振を発振検出回路が検出した第１状態と、該発振回路の発振の停止または減衰を発振検出回路が検出した第２状態とに状態変化するよう構成されると共に、電磁波により第２状態から第１状態に状態変化される検出センサユニットと、
磁性体から構成され、前記検出口に配設されて前記検出コイルの内側に位置し、前記発振回路の発振を停止または減衰させて前記検出センサユニットを第２状態に維持する金属球と、
前記検出コイル内に前記金属球が位置するよう前記検出センサユニットおよび該金属球を保持するケース体とを備え、
前記ケース体は、前記検出口の開口方向に対向する第１半体および第２半体からなり、前記第１半体および第２半体は、ケース基体の周縁部から壁部が互いに対向する方向へ向けて突出した箱状に形成されて、該第１半体および第２半体の間に前記検出センサユニットおよび金属球を収容すると共に、前記第１半体および第２半体のケース基体は、金属球の直径寸法だけ離間して該金属球を挟持するよう構成され、
前記遊技盤に対して直交する方向から取付可能な取付部が前記ケース体の壁部外面に形成されて、該遊技盤に対する当該取付部の取付方向に対して前記検出センサユニットの検出口の開口方向が斜めに交差するよう構成され、
前記遊技盤に対する取付方向から前記取付部を該遊技盤に取り付けることで、遊技盤に対し上方から下方にかけて後方に傾斜した斜め方向に前記検出口が向くよう前記検出センサユニットが保持され、
前記第１半体には、前記検出センサユニットを挟んで対向する壁部の外面に、前記取付方向へ延在する一対の案内リブが夫々形成され、
前記第２半体には、前記検出センサユニットを挟んで対向する壁部に、前記取付方向に延出して前記一対の案内リブ間に挿通可能な係止片が弾性変形可能に形成され、
前記各壁部の一対の案内リブは、前記壁部において、前記取付方向と交差方向へ離間すると共に該取付方向へずれた位置に形成され、
前記第１半体は、前記一対の案内リブの間に、前記係止片が係止可能な係止段部が形成され、
前記一対の案内リブ間に挿通した前記係止片が前記係止段部に係止することで、前記第１半体および第２半体が取付方向に規制されると共に、係止片の縁部が該案内リブに当たるよう構成した
ことを特徴とする遊技機における不正検出装置。
【発明の詳細な説明】
【技術分野】
【０００１】
この発明は、遊技機に対する不正行為を検出可能な遊技機における不正検出装置に関するものである。
【背景技術】
【０００２】
例えば、遊技機の代表例の一つであるパチンコ機は、機内にセットされる遊技盤の盤面にパチンコ球が打出される遊技領域が画成されている。遊技盤の後側には、設置部材が配設され、該設置部材に、各種図柄を変動表示して図柄変動演出を行う液晶表示装置が配設される。また、前記遊技盤には、液晶表示装置の下方位置に、該液晶表示装置での図柄変動演出を開始させる契機となる始動入賞装置が配設されている。前記始動入賞装置には、球検出センサが設けられており、前記遊技領域を流下するパチンコ球が、始動入賞装置に設けた始動口に入賞して球検出センサに検出されることで、液晶表示装置での図柄変動演出を開始させると共に、パチンコ球を賞球として払出すよう構成されている。
【０００３】
前記球検出センサは、パチンコ球が通過可能な検出口を備えた近接センサであって、パチンコ球を検出していない非検出状態では、高レベルの信号(高レベル信号)を出力するようになっている。また、球検出センサは、パチンコ球が検出口を通過する間、パチンコ球を検出した検出状態となり、低レベルの信号(低レベル信号)を出力するようになっている。そして、パチンコ球が検出口を完全に通過すると、球検出センサは、再び非検出状態に戻り、高レベル信号を出力する。球検出センサから出力された信号は、パチンコ機の後側に配設された主制御装置に入力されるようになっている。そして、主制御装置は、低レベル信号が高レベル信号に切り換わった際に、パチンコ球を１カウントして前記図柄変動演出や賞球の支払いを各装置に実行させるよう構成される。
【０００４】
ところが、近年では、このような球検出センサの原理を悪用して、電波により球検出センサを検出状態および非検出状態に強制的に切り換える不正行為(いわゆる電波ゴト)が多発して問題となっている。この電波ゴトでは、パチンコ球を検出中(すなわち、パチンコ球が検出口を通過中)の球検出センサに電波を浴びせ、球検出センサを検出状態→非検出状態→検出状態→・・・と強制的に状態変化させる。これにより、主制御装置は、１個のパチンコ球であるのに拘わらず複数回分のカウントをしてしまい、大量の賞球が支払われてしまう弊害がある。
【０００５】
そこで、このような電波ゴトへの対策として、例えば特許文献１には、不正な電波を検出する不正検出装置を備えた遊技機が提案されている。この不正検出装置では、通常の球検出センサの内部に不正検出部を設け、該不正検出部が不正な電波を検出すると、球検出センサから出力される球検出信号を無効にして、不正な賞球の獲得を未然防止するものである。
【先行技術文献】
【特許文献】
【０００６】
【特許文献１】特開平１０−２８６３４４号公報
【発明の概要】
【発明が解決しようとする課題】
【０００７】
ところが、特許文献１の不正検出装置では、球検出センサの内部に通常の球検出部と不正検出部とが併存しているため、構造が複雑化してコストが嵩む要因となる。しかも、不正検出部が不正を検出した場合に、球検出信号の出力を無効化する回路を形成する必要があり、不正検出装置内での信号処理が複雑化して誤判定等が発生する虞がある。
【０００８】
すなわち、本発明は、従来技術に係る遊技機における不正検出装置に内在する前記問題に鑑み、これらを好適に解決するべく提案されたものであって、不正行為を容易に判定し得るようにすることを目的とする。
【課題を解決するための手段】
【０００９】
前記課題を解決し、所期の目的を達成するため、本発明に係る遊技機における不正検出装置は、
検出コイル(131)、発振回路(F)、発振検出回路(G)および該検出コイル(131)が設けられた検出口(130)を備え、発振回路(F)の発振を発振検出回路(G)が検出した第１状態と、該発振回路(F)の発振の停止または減衰を発振検出回路(G)が検出した第２状態とに状態変化するよう構成されると共に、電磁波により第２状態から第１状態に状態変化される検出センサユニット(126)と、
磁性体から構成され、前記検出口(130)に配設されて前記検出コイル(131)の内側に位置し、前記発振回路(F)の発振を停止または減衰させて前記検出センサユニット(126)を第２状態に維持する金属球(127)と、
前記検出コイル(131)内に前記金属球(127)が位置するよう前記検出センサユニット(126)および該金属球(127)を保持するケース体(128)とを備え、
前記検出センサユニット(126)は、前記検出コイル(131)、発振回路(F)および発振検出回路(G)を収容した矩形箱状のセンサ装置本体(129)と、該センサ装置本体(129)に貫通形成された前記検出口(130)とを備え、
前記ケース体(128)は、前記検出口(130)の開口方向に対向する第１半体(132)および第２半体(133)からなり、前記第１半体(132)および第２半体(133)は、ケース基体(134,142)の周縁部から壁部(135,143)が互いに対向する方向へ向けて突出した箱状に形成されて、該第１半体(132)および第２半体(133)の間に前記検出センサユニット(126)および金属球(127)を収容すると共に、前記第１半体(132)および第２半体(133)のケース基体(134,142)は、金属球(127)の直径寸法だけ離間して該金属球(127)を挟持するよう構成され、
前記第１半体(132)のケース基体(134)は、前記センサ装置本体(129)における前記検出口(130)が開口する一方の外面に対向すると共に、前記第２半体(133)のケース基体(142)は、前記センサ装置本体(129)における前記検出口(130)が開口する他方の外面に対向し、
前記第１半体(132)および第２半体(133)のケース基体(134,142)の内壁面には、前記検出センサユニット(126)を挟んで対向する前記壁部(135,143)間に亘って延在する規制部(138,146)が複数設けられ、
前記規制部(138,146)は、前記ケース基体(134,142)の内壁面から前記センサ装置本体(129)の外面に向け斜めに突出すると共に、該規制部(138,146)の突出先端の全面がセンサ装置本体(129)の外面に当接するようになっており、
前記遊技盤(12)に対して直交する方向から取付可能な取付部(137,137)が前記ケース体(128)の壁部(135)外面に形成されて、該遊技盤(12)に対する当該取付部(137,137)の取付方向に対して前記検出センサユニット(126)の検出口(130)の開口方向が斜めに交差するよう構成され、
前記遊技盤(12)に対する取付方向から前記取付部(137,137)を該遊技盤(12)に取り付けることで、遊技盤(12)に対し上方から下方にかけて後方に傾斜した斜め方向に前記検出口(130)が向くよう前記検出センサユニット(126)が保持されることを要旨とする。
請求項１の発明によれば、第２状態に維持された検出センサユニットが第１状態に状態変化されることで、電磁波による不正行為を容易に検出することができる。また、金属球が検出コイル内に位置するようケース体に保持されるので、検出センサユニットを第２状態に確実に維持し得る。しかも、不正検出装置は、ケース体に検出センサユニットおよび金属球を収容する構成としたので、不正検出装置の取り扱いが容易となる。
そしてケース体は、第１半体および第２半体で金属球を挟持する構成としたので、該金属球を適切な位置に保持することができ、検出センサユニットを第２状態に確実に維持し得る。また、球体をなす金属球は、姿勢を考慮することなく検出口に位置させればよいので、金属球の組み付け作業を効率的とし得る。しかも、金属球を検出センサユニットの検出口に位置させるだけで、検出センサユニットを第２状態に維持することができるから、検出センサユニットを第２状態に維持するための複雑な構造を要することもない。
また、第１および第２半体のケース基体に設けた規制部により、検出センサユニットを位置規制して、該検出センサユニットの位置ずれを防止することができる。従って、検出センサユニットおよび金属球の適正な位置関係が維持されて、検出センサユニットを第２状態に確実に維持し得る。
また、ケース体を遊技盤に取り付けた際に、斜め方向に検出口が向くよう検出センサユニットが保持されるので、遊技盤に対して斜め方向から放射される不正な電磁波を捉え易くして、不正行為を確実に検出することができる。
【００１０】
前記課題を解決し、所期の目的を達成するため、別の発明に係る遊技機における不正検出装置は、
検出コイル(131)、発振回路(F)、発振検出回路(G)および該検出コイル(131)が設けられた検出口(130)を備え、発振回路(F)の発振を発振検出回路(G)が検出した第１状態と、該発振回路(F)の発振の停止または減衰を発振検出回路(G)が検出した第２状態とに状態変化するよう構成されると共に、電磁波により第２状態から第１状態に状態変化される検出センサユニット(126)と、
磁性体から構成され、前記検出口(130)に配設されて前記検出コイル(131)の内側に位置し、前記発振回路(F)の発振を停止または減衰させて前記検出センサユニット(126)を第２状態に維持する金属球(127)と、
前記検出コイル(131)内に前記金属球(127)が位置するよう前記検出センサユニット(126)および該金属球(127)を保持するケース体(128)とを備え、
前記ケース体(128)は、前記検出口(130)の開口方向に対向する第１半体(132)および第２半体(133)からなり、前記第１半体(132)および第２半体(133)は、ケース基体(134,142)の周縁部から壁部(135,143)が互いに対向する方向へ向けて突出した箱状に形成されて、該第１半体(132)および第２半体(133)の間に前記検出センサユニット(126)および金属球(127)を収容すると共に、前記第１半体(132)および第２半体(133)のケース基体(134,142)は、金属球(127)の直径寸法だけ離間して該金属球(127)を挟持するよう構成され、
前記遊技盤(12)に対して直交する方向から取付可能な取付部(137,137)が前記ケース体(128)の壁部(135)外面に形成されて、該遊技盤(12)に対する当該取付部(137,137)の取付方向に対して前記検出センサユニット(126)の検出口(130)の開口方向が斜めに交差するよう構成され、
前記遊技盤(12)に対する取付方向から前記取付部(137,137)を該遊技盤(12)に取り付けることで、遊技盤(12)に対し上方から下方にかけて後方に傾斜した斜め方向に前記検出口(130)が向くよう前記検出センサユニット(126)が保持され、
前記第１半体(132)には、前記検出センサユニット(126)を挟んで対向する壁部(135,135)の外面に、前記取付方向へ延在する一対の案内リブ(139,139)が夫々形成され、
前記第２半体(133)には、前記検出センサユニット(126)を挟んで対向する壁部(143,143)に、前記取付方向に延出して前記一対の案内リブ(139,139)間に挿通可能な係止片(144)が弾性変形可能に形成され、
前記各壁部(135,135)の一対の案内リブ(139,139)は、前記壁部(135,135)において、前記取付方向と交差方向へ離間すると共に該取付方向へずれた位置に形成され、
前記第１半体(132)は、前記一対の案内リブ(139,139)の間に、前記係止片(144)が係止可能な係止段部(140)が形成され、
前記一対の案内リブ(139,139)間に挿通した前記係止片(144)が前記係止段部(140)に係止することで、前記第１半体(132)および第２半体(133)が取付方向に規制されると共に、係止片(144)の縁部が該案内リブ(139,139)に当たるよう構成したことを要旨とする。
請求項２の発明によれば、第２状態に維持された検出センサユニットが第１状態に状態変化されることで、電磁波による不正行為を容易に検出することができる。また、金属球が検出コイル内に位置するようケース体に保持されるので、検出センサユニットを第２状態に確実に維持し得る。しかも、不正検出装置は、ケース体に検出センサユニットおよび金属球を収容する構成としたので、不正検出装置の取り扱いが容易となる。
そしてケース体は、第１半体および第２半体で金属球を挟持する構成としたので、該金属球を適切な位置に保持することができ、検出センサユニットを第２状態に確実に維持し得る。また、球体をなす金属球は、姿勢を考慮することなく検出口に位置させればよいので、金属球の組み付け作業を効率的とし得る。しかも、金属球を検出センサユニットの検出口に位置させるだけで、検出センサユニットを第２状態に維持することができるから、検出センサユニットを第２状態に維持するための複雑な構造を要することもない。
そして、ケース体は、係止片を係止段部に係止させるだけで、容易に組み付けることができ、ネジ等の固定手段を用いる必要がない。
【発明の効果】
【００１２】
本発明に係る遊技機における不正検出装置によれば、簡単な構造で不正行為を容易に検出することが可能となる。
【図面の簡単な説明】
【００１３】
【図１】実施例に係るパチンコ機の正面図である。
【図２】実施例に係るパチンコ機を、中枠から遊技盤および前枠を外した状態で示す正面図である。
【図３】実施例に係る中枠の背面図である。
【図４】実施例に係る遊技盤を示す正面図である。
【図５】実施例に係る設置部材を前側から見た状態で示す斜視図である。
【図６】図４のI−I線断面図であって、設置部材から演出装置を取り外した状態で示す。
【図７】実施例に係る設置部材を示す背面図である。
【図８】実施例に係るパチンコ機の制御構成を示すブロック図である。
【図９】実施例に係る設置部材の下部を後側から見た状態で示す斜視図であって、第１,第２収容空間から第１,第２不正防止部材を取り外した状態で示す。
【図１０】図４のII−II線断面図であって、遊技盤の下部側を拡大して示す。
【図１１】図４のIII−III線断面図であって、遊技盤の下部側を拡大して示す。
【図１２】実施例に係る設置部材を拡大して示す背面図であって、(ａ)は第１収容空間を示し、(ｂ)は第２収容空間を示す。
【図１３】(ａ)は第１不正防止部材の平面図、(ｂ)は第１不正防止部材の正面図である。
【図１４】実施例に係る設置部材の下部を後側から見た状態で示す斜視図であって、第１,第２収容空間に第１,第２不正防止部材を配設した状態で示す。
【図１５】実施例に係る設置部材の下部を後側から見た状態で示す斜視図であって、第１,第２中継基板保持部に第１,第２中継基板を取り付けた状態で示す。
【図１６】図４のIV−IV線断面での要部拡大図である。
【図１７】(ａ)は第２不正防止部材の平面図、(ｂ)は第２不正防止部材の正面図である。
【図１８】第２収容空間に第２不正防止部材が配設された状態を拡大して示す横断面図である。
【図１９】実施例に係るセンサ設置部を拡大して示す設置部材の背面図である。
【図２０】図４のV−V線断面図であって、遊技盤の下部側を拡大して示す。
【図２１】(ａ)は球検出センサを示す概略図であり、(ｂ)は非検出時、球通過時および不正電波行為時における球検出センサの出力信号を示す図である。
【図２２】実施例に係る不正検出装置を前側から見た状態で示す分解斜視図である。
【図２３】実施例に係る不正検出装置を後側から見た状態で示す分解斜視図である。
【図２４】(ａ)は不正検出装置を示す縦断面図であり、(ｂ)は不正検出装置の側面図である。
【図２５】実施例に係る検出センサユニットの回路構成を示すブロック図である。
【図２６】(ａ)は発振検出状態での検出センサユニット内の信号の流れを示すブロック図であり、(ｂ)は発振非検出状態での検出センサユニット内の信号の流れを示すブロック図である。
【図２７】正常時および不正行為時において主制御装置に入力される信号波形を示す図である。
【図２８】不正電波行為時での検出センサユニット内の信号の流れを示すブロック図である。
【図２９】検出センサユニットの検出範囲を示す図である。
【図３０】不正電波行為時および不正磁気行為時における各装置での報知方法を示す図である。
【図３１】変更例に係るパチンコ機の制御構成を示すブロック図である。
【発明を実施するための形態】
【００１４】
次に、本発明に係る遊技機における不正検出装置につき、好適な実施例を挙げて、添付図面を参照しながら以下詳細に説明する。なお、実施例では、遊技球としてパチンコ球を用いて遊技を行うパチンコ機に不正検出装置を設けた場合を例に挙げて説明する。また、以下の説明において、「前」、「後」、「左」、「右」とは、図１に示すようにパチンコ機を前側(遊技者側)から見た状態で指称する。但し、部材を後側から見た状態で示す図面を参照する場合には、当該参照した図面を基準として「右」、「左」を指称する場合がある。
【実施例】
【００１５】
実施例に係るパチンコ機１０は、図１に示すように、矩形枠状に形成されて遊技店の図示しない設置枠台に縦向きに設置される固定枠としての矩形枠状の外枠１１の開口前面側に、後述する遊技盤１２を着脱可能に保持する本体枠としての中枠１３が開閉および着脱可能に組付けられると共に、遊技盤１２の後側に配設された設置部材１４に対して、各種図柄を変動表示可能な液晶表示装置(図柄表示装置)１５が着脱自在に取付けられるよう構成される。また、前記中枠１３の前面側には、前記遊技盤１２を透視保護するガラス板等の透視保護板(図示せず)を備えた装飾枠としての前枠１６が開閉可能に組み付けられると共に、該前枠１６の下方にパチンコ球を貯留する下球受け皿１７が開閉可能に組み付けられる。前記前枠１６の上部には、フルカラーＬＥＤ等の発光体を実装した発光体基板(何れも図示せず)を備えたランプ装置(報知手段)１８,１８が左右に２つ配設されている。前記ランプ装置１８は、後述する統括制御装置１９に電気的に接続され、該統括制御装置１９の制御に基づいて発光体が点灯・点滅したり、発光色を変更させたりするようになっている。なお、前記ランプ装置１８の前側は、光透過性のランプカバー１８ａで被覆してある。また、前記前枠１６の下部位置に、パチンコ球を貯留する上球受け皿２０が一体的に組み付けられており、前枠１６の開閉に合わせて上球受け皿２０も一体的に開閉するよう構成される。
【００１６】
前記中枠１３は、図２に示すように、上下左右の縁部をなす枠部材１３ａ〜１３ｄにより、全体が前記外枠１１の開口に整合する矩形枠状に形成される。そして、中枠１３の前後に開口する開口縁部が、前記遊技盤１２を設置する遊技盤保持部２１として機能するよう構成されている。下枠部材１３ｂの前側には、スピーカ(報知手段)２２や打球発射装置２３が設置されると共に、遊技者により回動操作されて打球発射装置２３を作動させる操作ハンドル２４が設けられている。図３に示すように、前記上枠部材１３ａの後側には、設置枠台等に設けられた外部球供給設備から供給されるパチンコ球を貯留する球タンク２５が、該上枠部材１３ａの左右幅の略全幅に亘って設けられている。また、下枠部材１３ｂの後側には、前記上下の球受け皿２０,１７に連通する球供給路や設置枠台に設けた球回収樋(何れも図示せず)に連通する球排出路が夫々形成されたセット部材２６が配設されている。前記球タンク２５とセット部材２６とは、各部材２５,２６における左枠部材１３ｃ側の端部間に架設された球通路ユニット２７を介して連通接続されており、該球通路ユニット２７に配設された球払出装置２８の駆動により球タンク２５に供給されたパチンコ球を前記上下の球受け皿２０,１７へ給出するよう構成されている。また、このセット部材２６には、前記球払出装置２８を駆動制御する払出制御装置２９、前記打球発射装置２３を駆動制御する発射制御装置３０等が配設されている。前記払出制御装置２９は、前記パチンコ機１０の後側に配設される主制御装置(制御手段)３１に第３中継基板７２(後述)を介して電気的に接続されており、該主制御装置３１から入力される制御信号に基づいて、払出制御装置２９が球払出装置２８を制御するようになっている(図８参照)。
【００１７】
図４に示すように、前記遊技盤１２は、アクリルやポリカーボネート等の光透過性の合成樹脂材やベニア等の木板から前記中枠１３の遊技盤保持部２１に整合する略矩形平板状に形成される。遊技盤１２の後面には、図５に示す如き箱状の設置部材(遊技機構成部材)１４が組み付けられ、遊技盤１２に形成された図柄表示開口部(開口部)１２ａおよび設置部材１４に形成された可視表示部１４ａを介して液晶表示装置１５の表示部１５ａを遊技盤１２の前面側から視認し得るよう構成されている。
【００１８】
図４に示すように、前記遊技盤１２の前面には、内レール３２と外レール３３とが半円弧状に配設されて、両レール３２,３３によりパチンコ球が流下可能な遊技領域３４が画成され、前記打球発射装置２３から発射されたパチンコ球が遊技領域３４内に打ち出されるようになっている。また、前記遊技盤１２の下方位置には、前記遊技領域３４を流下するパチンコ球が入賞可能な始動入賞装置３５が配設されている。始動入賞装置３５は、上下に設けた２つの入賞口(上部入賞口３５ａおよび下部入賞口３５ｂ)を備えている。始動入賞装置３５の装置本体３５ｃ(図６参照)には、上部入賞口３５ａに入賞したパチンコ球を検出する上部始動球検出センサ３６と、下部入賞口３５ｂに入賞したパチンコ球を検出する下部始動球検出センサ３７とが設けられている(図８参照)。前記上部始動球検出センサ３６および下部始動球検出センサ３７は、前記主制御装置３１に接続されており、両センサ３６,３７から出力されるパチンコ球の検出信号は、主制御装置３１に入力されるようになっている。主制御装置３１は、上部始動球検出センサ３６または下部始動球検出センサ３７から検出信号を受けると、大当たり抽選を行うと共に、統括制御装置１９に制御信号を出力して、前記液晶表示装置１５に図柄変動演出を行わせるようになっている。また、主制御装置３１は、前記払出制御装置２９に制御信号を出力して、前記球払出装置２８に所定数の賞球を払い出させるようになっている。
【００１９】
前記遊技盤１２における始動入賞装置３５の下方には、特別入賞装置３８が配設されており、前記大当たり抽選の結果、大当たりが発生すると、液晶表示装置１５の表示部１５ａに所定の図柄組合わせで図柄が停止表示されて、特別入賞装置３８の入賞口(図示せず)が開放するようになっている。特別入賞装置３８の装置本体３８ａ(図６参照)には、第１中継基板７０を介して前記主制御装置３１に電気的に接続された特別球検出センサ３９が設けられている(図８参照)。特別球検出センサ３９がパチンコ球を検出すると、検出信号を主制御装置３１に出力し、主制御装置３１は、前記払出制御装置２９に制御信号を出力して、前記球払出装置２８に多数の賞球を払い出させる。なお、図６に示すように、前記始動入賞装置３５の装置本体３５ｃや特別入賞装置３８の装置本体３８ａは、遊技盤１２の下部中央に設けた中央開口部１２ｂを介して遊技盤１２の後方に突出している。
【００２０】
図４に示すように、前記遊技盤１２の下部には、前記特別入賞装置３８を挟んで左側に第１普通入賞装置４０、右側に第２普通入賞装置４１が設けられている。これら第１,第２普通入賞装置４０,４１は、遊技盤１２における前記中央開口部１２ｂの左右に設けた側方開口部１２ｃ,１２ｄ(図１０,図１１参照)に夫々取り付けられている。第１,第２普通入賞装置４１,４２は、複数(実施例では、２つ)の普通入賞口４０ａ,４０ａ,４１ａ,４１ａを備え、該普通入賞口４０ａ,４０ａ,４１ａ,４１ａに入賞したパチンコ球は、前記側方開口部１２ｃ,１２ｄを介して遊技盤１２の後方へ送られる。そして、遊技盤１２の後方へ送られたパチンコ球は、設置部材１４に設けた後述する球通路部材５３,５４の球通路５９,６０を流下して下方へ排出されるよう構成される。
【００２１】
〔設置部材について〕
図５,図７に示すように、前記設置部材１４は、前記遊技盤１２に対向する略矩形状の対向面部４２と、該対向面部４２の周縁部から前方に延出する外周壁部４３とから前方に開放する箱状に形成され、全体が透明の部材で構成されている。前記外周壁部４３の前端部には、設置部材１４の開口外側へ延出する設置固定部４４が複数形成されている。そして、設置固定部４４を遊技盤１２の後面に当接した状態で、各設置固定部４４を遊技盤１２にネジ止めすることで、設置部材１４が遊技盤１２に着脱自在に取付けられる。設置部材１４を遊技盤１２に取付けた状態では、図６に示すように、該遊技盤１２および設置部材１４の間に所要の空間(以下、設置スペース４５という)が画成される。前記設置部材１４には、遊技状態に合わせて発光演出および可動演出を行う複数の演出装置４６,４７,４８が配設されており、設置部材１４を遊技盤１２に取り付けた状態で、これら演出装置４６,４７,４８が前記設置スペース４５に臨むようになっている。図７に示すように、前記対向面部４２には、前後方向に開放する可視表示部１４ａが設けられており、以下の説明において、対向面部４２における可視表示部１４ａの上側部分を上対向面部４２ａと指称し、可視表示部１４ａの下側部分を下対向面部４２ｂと指称する。
【００２２】
前記対向面部４２の後側には、液晶装着部４９が設けられ、該液晶装着部４９に、前記液晶表示装置１５が表示部１５ａを可視表示部１４ａに臨ませるように後側から取り付けられる。液晶表示装置１５の後側には、パチンコ機１０の遊技演出を統括的に制御する統括制御装置１９が配設される(図３参照)。図８に示すように、統括制御装置１９は、前記液晶表示装置１５、ランプ装置１８およびスピーカ２２に電気的に接続されており、該統括制御装置１９から出力される演出制御信号に基づいて、各種装置１５,１８,２２が作動制御されるようになっている。また、統括制御装置１９には、前記演出装置４６,４７,４８が電気的に接続されており、該統括制御装置１９により各演出装置４６,４７,４８の延出動作が制御される。図３に示すように、前記下対向面部４２ｂの後側には、後述する中継基板保持部６７,６８,６９を後方から覆うように主制御装置３１が主基板ベース(図示せず)を介して着脱自在に配設される。前記主制御装置３１は、パチンコ機１０全体の作動を制御するものであって、図８に示す如く、前記上部始動球検出センサ３６や下部始動球検出センサ３７、統括制御装置１９等、各種装置と電気的に接続されている。また、主制御装置３１は、後述する不正検出装置１２５や磁気センサ８３,１０２からの出力信号に基づいて、不正行為の発生を判定する。
【００２３】
〔下対向面部の前側の構成について〕
図５に示すように、前記下対向面部４２ｂの前側中央部には、該下対向面部４２ｂから前方に突出する円弧状の庇状収容部５０が形成されている。庇状収容部５０は、前方および下方に開放する空間(以下、装置用空間５０ａという)を画成しており、設置部材１４を遊技盤１２に取り付けた状態で、庇状収容部５０の装置用空間５０ａに前記始動入賞装置３５の装置本体３５ｃが収容されるようになっている(図６参照)。また、図５に示すように、前記下対向面部４２ｂには、球通路固定部(固定部)５１,５２が庇状収容部５０を挟んで左右に２つ形成されており、各球通路固定部５１,５２に球通路部材(遊技機構成部材)５３,５４が取り付けられる。各球通路固定部５１,５２は、下対向面部４２ｂから前方に突出するよう形成され、図９に示すように、設置部材１４の後側に下対向面部４２ｂの後面で開口する収容空間(センサと基板との間に形成される空間)５５,５６を画成している。なお、以下の説明では、図５における左側の球通路固定部および収容空間を第１球通路固定部５１および第１収容空間５５と夫々指称し、図５における右側の球通路固定部および収容空間を第２球通路固定部５２および第２収容空間５６と夫々指称する。また、第１球通路固定部５１に取り付けられる球通路部材を第１球通路部材５３と指称し、第２球通路固定部５２に取り付けられる球通路部材を第２球通路部材５４と指称する。
【００２４】
第１球通路固定部５１の前面(以下、第１突出面部５７という)および第２球通路固定部５２の前面(以下、第２突出面部５８という)は、設置部材１４の設置固定部４４より僅かに後方に位置している(図１６参照)。また、図５,図１６に示すように、第１突出面部５７および第２突出面部５８には、夫々、前方へ突出する固定ボス５７ａ,５８ａが複数形成されている。そして、第１球通路部材５３および第２球通路部材５４に設けたボス受け部５３ａ,５４ａに対応の固定ボス５７ａ,５８ａを整合させて、該固定ボス５７ａ,５８ａにネジを螺挿することで、第１球通路部材５３および第２球通路部材５４が第１球通路固定部５１および第２球通路固定部５２に夫々ネジ止めされる。図５に示すように、第１,第２球通路固定部５１,５２に第１,第２球通路部材５３,５４が夫々取り付けられた状態では、両球通路部材５３,５４が設置部材１４の開口前端側に臨むよう構成される。
【００２５】
前記第１球通路部材５３および第２球通路部材５４には、前方に開放する第１球通路５９および第２球通路６０が夫々画成されており、図１０,図１１に示すように、第１,第２球通路部材５３,５４が前記第１,第２球通路固定部５１,５２に夫々取り付けられた状態で、各球通路部材５３,５４の開口縁部が前記設置固定部４４と同一面上に位置するようになっている。そして、設置部材１４を遊技盤１２に取り付けた状態では、第１球通路部材５３の開口縁部が前記第１普通入賞装置４０の後面に当接して、前記第１球通路５９が第１普通入賞装置４０の普通入賞口４０ａ,４０ａに連通するようになっている。同様に、第２球通路部材５４の開口縁部が前記第２普通入賞装置４１の後面に当接して、前記第２球通路６０が第２普通入賞装置４１の普通入賞口４１ａ,４１ａに連通するよう構成される。
【００２６】
図１０に示すように、前記第１球通路部材５３には、第１センサ取付部６１が後方に突出するよう形成されている。また、第１球通路固定部５１の第１突出面部５７には、前後方向に開放する第１センサ挿通孔６２が形成され、第１球通路部材５３を第１球通路固定部５１に取り付けた状態で、該第１センサ取付部６１が第１センサ挿通孔６２を介して前記第１収容空間５５内に延出するよう構成される。前記第１センサ取付部６１には、前記第１普通入賞装置４０の普通入賞口４０ａに入賞したパチンコ球を検出する第１普通球検出センサ６３が着脱自在に取り付けられる。第１普通球検出センサ６３は、第１センサ取付部６１に取り付けられた状態で、前記第１収容空間５５に後部側が収容される。図８に示すように、第１普通球検出センサ６３は、第１中継基板７０を介して前記主制御装置３１に電気的に接続され、第１普通球検出センサ６３がパチンコ球を検出すると、検出信号が主制御装置３１に出力されるようになっている。そして、前記主制御装置３１は、第１普通球検出センサ６３から検出信号が入力されると、前記払出制御装置２９に制御信号を出力し、球払出装置２８に所定数の賞球を払い出させるよう構成される。
【００２７】
図１１に示すように、前記第２球通路部材５４には、第２センサ取付部６４が後方に突出するよう形成されている。また、第２球通路固定部５２の第２突出面部５８には、前後方向に開放する第２センサ挿通孔６５が形成され、第２球通路部材５４を第２球通路固定部５２に取り付けた状態で、該第２センサ取付部６４が第２センサ挿通孔６５を介して前記第２収容空間５６内に延出している。第２センサ取付部６４には、前記第２普通入賞装置４１の普通入賞口４１ａ,４１ａに入賞したパチンコ球を検出する第２普通球検出センサ６６が着脱自在に取り付けられる。第２普通球検出センサ６６は、第２センサ取付部６４に取り付けられた状態で、前記第２収容空間５６に後部側が収容されるようになっている。図８に示すように、この第２普通球検出センサ６６は、第１普通球検出センサ６３と同様に、第１中継基板７０を介して前記主制御装置３１に電気的に接続されている。そして、第２普通球検出センサ６６から検出信号が主制御装置３１に入力されると、主制御装置３１は、前記払出制御装置２９を制御して、球払出装置２８に所定数の賞球を払い出させるようになっている。
【００２８】
〔下対向面部の後側の構成について〕
図９に示すように、前記下対向面部４２ｂの後面には、左右に隣接して複数(実施例では３つ)の中継基板保持部６７,６８,６９が設けられ、各中継基板保持部６７,６８,６９に中継基板７０,７１,７２が着脱自在に配設される(図７参照)。図９の右側の中継基板保持部(基板設置部)６７は、前記第１球通路固定部５１の後方に位置し、前記第１収容空間５５が該中継基板保持部６７において後方へ開口している。また、図９の左側の中継基板保持部６８は、前記第２球通路固定部５２の後方に位置し、前記第２収容空間５６が該中継基板保持部６８において後方へ開口している。更に、図９の中央の中継基板保持部６９は、前記庇状収容部５０の後方位置に形成されている。なお、以下の説明において、図９の右側に位置する中継基板保持部を第１中継基板保持部６７と指称し、図９の左側に位置する中継基板保持部を第２中継基板保持部６８と指称し、図９の中央に位置する中継基板保持部を第３中継基板保持部６９と指称する。また、第１〜第３中継基板保持部６７,６８,６９に取り付けられる中継基板を、第１〜第３中継基板７０,７１,７２と夫々指称する。
【００２９】
〔第１中継基板保持部について〕
第１中継基板保持部６７は、前記下対向面部４２ｂの後面から後方に突出すると共に前記第１収容空間５５の後方開口(以下、第１開口部７３という)を囲繞するよう上下左右に延在する第１突壁７４ａ〜７４ｄと、下側の第１突壁７４ｂおよび左右の第１突壁７４ｃ,７４ｄの隅部に夫々設けられ、これら第１突壁７４ｂ,７４ｃ,７４ｄの後縁部から後方に離間した第１押え片７５,７５とを備える。なお、図９に示す状態を基準として上下左右の第１突壁を、第１上突壁７４ａ、第１下突壁７４ｂ、第１左突壁７４ｃおよび第１右突壁７４ｄと夫々指称する。第１右突壁７４ｄの上部には、後方に突出する第１基板フック７６が形成されている。また、前記第１左突壁７４ｃには、左右に開放する第１配線通孔７７が形成されている。そして、図９において、第１中継基板７０の下側の両隅部を、対応する第１押え片７５,７５の前側に臨ませて、第１中継基板７０の上部側を前方へ押圧することで、第１基板フック７６が第１中継基板７０に後方から係止して、第１中継基板７０が第１中継基板保持部６７に着脱自在に取り付けられる。前記第１中継基板７０には、後述する第１,第２磁気センサ８３,１０２から導出する配線８３Ｘ,１０２Ｘや前記特別球検出センサ３９、第１,第２普通球検出センサ６３,６６等の配線(何れも図示せず)が接続される(図８,図１５参照)。また、第１中継基板７０は、前記主制御装置３１と電気的に接続されており、これらセンサ８３,１０２,３９,６３,６６を主制御装置３１に中継接続している。
【００３０】
〔第１収容空間について〕
図１２(ａ)に示すように、前記第１収容空間５５は、上下左右の内側面(以下、第１内側面７８という)により画成され、略矩形状の前記第１開口部７３が後方に開口している。なお、図１２(ａ)に示す状態を基準として、第１収容空間５５の上下左右の第１内側面７８を、第１上内側面７８ａ、第１下内側面７８ｂ、第１左内側面７８ｃおよび第１右内側面７８ｄと夫々指称する。第１収容空間５５の第１上内側面７８ａおよび第１下内側面７８ｂは、後方に向かうにつれて互いに離間すると共に、第１収容空間５５の第１左内側面７８ｃおよび第１右内側面７８ｄは、後方に向かうにつれて互いに離間するよう構成されている(図１０,図１６参照)。すなわち、第１収容空間５５は、前方から後方にかけて次第に拡開するよう形成されている。図１０に示すように、第１下内側面７８ｂは、前側の上段部７９と該上段部７９より１段下方に位置した後側の下段部８０とを備え、上段部７９および下段部８０が連結壁８１により連結された段状構造をなしている。前記第１収容空間５５の内部には、前記第１上内側面７８ａに近接する位置に第１センサ保持部８２が形成されている。この第１センサ保持部８２は、図１２(ａ)に示すように、後方に開放する筒状の保持体８２ａと、該保持体８２ａの後部から後方に突出する保持フック８２ｂとを備え、該保持体８２ａの内部に第１磁気センサ(センサ)８３が後方から挿入されるようになっている。そして、前記保持体８２ａに挿入された第１磁気センサ８３の後部に保持フック８２ｂが係止することで、第１磁気センサ８３が第１センサ保持部８２に着脱自在に取り付けられる。この第１磁気センサ８３は、磁石等から発せられる磁気を検出するものであって、遊技盤１２に磁石等を近付けて遊技領域３４を流下するパチンコ球を誘導する不正行為(以下、不正磁気行為という)を検出するものである。
【００３１】
ここで、図７,図１０に示すように、前記第１中継基板保持部６７に第１中継基板７０を取り付けた状態では、第１中継基板７０は、第１磁気センサ８３の後方に離間して、該センサ８３と前後に重なる位置関係となる。そして、第１収容空間５５の第１開口部７３が第１中継基板７０により後側から覆われて設置部材１４の後方から視認不能となる。ここで、第１中継基板７０で覆われる第１収容空間５５には、例えば第１中継基板７０に接続された前記各種センサ３９,６３,６６,８２,８３を操作したり、前記主制御装置３１に信号を出力して、予め設定された制御とは異なる制御を行わせる等を目的とした不正部品Ａ(図１０参照)が設置される虞がある。そこで、実施例に係るパチンコ機１０では、第１収容空間５５を埋める第１不正防止部材(不正防止部材)８４を配設することで、規定の不正部品Ａの取り付けを防止するよう構成されている。ここで、規定の不正部品Ａとは、予め設定されたサイズ(体積)を有する不正部品Ａを指しており、当該サイズの不正部品Ａについては、第１不正防止部材８４の存在により第１収容空間５５への設置が阻止される。また、不正部品Ａとしては、基板や装置、器具等の電気信号を送出可能な電子部品が含まれる。
【００３２】
〔第１不正防止部材について〕
図１３(ａ),(ｂ),図１４に示すように、前記第１不正防止部材８４は、板状の第１基部(基部)８５の周縁部から第１側壁部(側壁部)８６が前方に延出して構成され、前方に開放する略直方体形状をなしている。なお、以下の説明では、図１４に示すように、第１不正防止部材８４を後側から見た状態を基準として、第１基部８５の上下左右の縁部から延出する第１側壁部８６を、第１上側壁部８６ａ、第１下側壁部８６ｂ、第１左側壁部８６ｃおよび第１右側壁部８６ｄと夫々指称する場合がある。前記第１基部８５は、前記第１開口部７３の開口形状に整合した矩形状に形成され、図１４に示すように、第１不正防止部材８４が第１収容空間５５に配設された状態で、第１基部８５が第１開口部７３と略同一面上に位置して、該第１基部８５が第１開口部７３を塞ぐよう構成される。ここで、第１基部８５が第１開口部７３を「塞ぐ」とは、第１基部８５が第１開口部７３を完全に閉塞した状態に加え、該第１基部８５と第１開口部７３の縁部との間に前記規定の不正部品Ａを差し込むのが不能となる程度の隙間が生じた状態を含む意味である。実施例では、第１基部８５と第１開口部７３の縁部との間には、前記規定の不正部品Ａが挿入不能となる範囲で僅かな隙間が生じている。第１基部８５には、前後方向に開放する第１配線口８７が開設されており、前記第１磁気センサ８３から導出する配線８３Ｘが第１配線口８７を介して第１基部８５の後方に引き出されるようになっている。そして、第１配線口８７から引き出された第１磁気センサ８３の配線８３Ｘは、図１４,図１５に示すように、前記第１配線通孔７７を左方に引き回された後、前記第１中継基板７０に接続される。すなわち、第１磁気センサ８３は、第１中継基板７０を介して主制御装置３１に電気的に接続され、第１磁気センサ８３が磁気を検出した際に出力される検出信号(以下、磁気検出信号という)は、主制御装置３１に入力されるようになっている。
【００３３】
図１０に示すように、前記第１上側壁部８６ａおよび第１下側壁部８６ｂは、前方に向かうにつれて互いに離間するよう傾斜すると共に、図１３(ａ)に示すように、第１左側壁部８６ｃおよび第１右側壁部８６ｄは、前方に向かうにつれて互いに離間するよう傾斜している。すなわち、第１不正防止部材８４は、前方に向かうにつれて拡開する形状とされる。第１不正防止部材８４を第１収容空間５５に配設した状態では、第１下側壁部８６ｂの前端部が前記第１下内側面７８ｂの連結壁８１に当接するよう構成される。また、第１上側壁部８６ａ、第１下側壁部８６ｂ、第１左御側壁部および第１右側壁部８６ｄが、第１上内側面７８ａ、第１下内側面７８ｂの下段部８０、第１左内側面７８ｃおよび第１右内側面７８ｄに夫々対向するよう構成される(図１０,図１６参照)。ここで、各第１側壁部８６が第１収容空間５５の各第１内側面７８に対向するとは、前記規定の不正部品Ａを差し込むのが不能となる程度に各第１側壁部８６が対応の第１内側面７８に近接または当接した状態をいう。すなわち、第１不正防止部材８４を第１収容空間５５に配設することで、第１基部８５が第１開口部７３を塞ぐと共に、第１側壁部８６が対応の第１内側面７８に対向して、第１不正防止部材８４と第１内側面７８との間に不正部品Ａを設置するのは不能となる。
【００３４】
図１３(ｂ)に示すように、前記第１不正防止部材８４には、該第１不正防止部材８４の内部空間を分割する第１仕切壁８８が複数形成されている。第１仕切壁８８は、第１不正防止部材８４の内部空間を前記規定の不正部品Ａの設置が不能となる寸法の小空間(以下、第１小空間Ｂという)に分割するよう設けられる。すなわち、第１不正防止部材８４の内部空間は、第１仕切壁８８により第１小空間Ｂに分割されて、第１不正防止部材８４の内部空間への前記不正部品Ａの設置は不能となる。
【００３５】
図１３(ａ),(ｂ)に示すように、前記各第１側壁部８６には、前後方向に延在すると共に弾性変形可能に構成された第１押圧部８９が形成されている。実施例では、第１上側壁部８６ａに２つの第１押圧部８９,８９が形成されると共に、第１下側壁部８６ｂ、第１左側壁部８６ｃおよび第１右側壁部８６ｄに第１押圧部８９が夫々１つずつ形成されている。各押圧部８９は、各第１側壁部８６の前端縁部から後方に切り込んだ２つのスリット９０,９０の間に形成されており、各第１押圧部８９の前端部には、第１側壁部８６から外方に突出した第１突部９１が形成されている。そして、第１不正防止部材８４を第１収容空間５５に配設した際に、各第１押圧部８９は、第１不正防止部材８４の内側(第１不正防止部材８４の内部空間側)へ弾性変形した状態で、各第１突部９１が第１収容空間５５の第１内側面７８に当接するようになっている(図１０参照)。更に、第１上側壁部８６ａには、左右の第１押圧部８９,８９の間に位置して、前方および上下方向に開放する第１逃げ部９２が形成されている。第１不正防止部材８４を第１収容空間５５に配設した状態では、図１０に示すように、前記第１磁気センサ８３および第１センサ保持部８２が第１逃げ部９２に臨んで、第１上側壁部８６ａに干渉しないよう構成される。
【００３６】
〔第２中継基板保持部について〕
図９に示すように、前記第２中継基板保持部６８は、下対向面部４２ｂの後面から後方に突出すると共に前記第２収容空間５６の後方開口(第２開口部９３という)を囲繞するよう上下左右に設けられた第２突壁９４ａ〜９４ｄと、上側の第２突壁９４ａの上縁部から下方に延出する第２押え片９５とを備える。なお、図９に示す状態を基準として、上下左右に延在する第２突壁９４を、第２上突壁９４ａ、第２下突壁９４ｂ、第２左突壁９４ｃおよび第２右突壁９４ｄと夫々指称する。第２下突壁９４ｂには、後方に突出する第２基板フック９６,９６が左右に並んで２つ形成されている。第２中継基板保持部６８は、第２開口部９３の上縁に沿って延在すると共に下対向面部４２ｂの後面から後方に突出する第２支持突壁９７を備えている。そして、第２中継基板７１の上縁部を第２押え片９５の前側に臨ませ、該第２中継基板７１の下部側を前方へ押圧することで、両第２基板フック９６,９６が第２中継基板７１の下縁部に後方から係止して、第２中継基板７１が第２中継基板保持部６８に着脱自在に取り付けられる。第２中継基板７１が第２中継基板保持部６８に取り付けられた状態では、第２中継基板７１の前面が前記第２支持突壁９７に当接して支持される。第２中継基板７１には、前記演出装置４６,４７,４８等から導出する配線が接続されると共に、前記統括制御装置１９が接続されている。なお、第２上突壁９４ａには、上下方向に開放する第２配線通孔９８が切欠形成されている。
【００３７】
〔第２収容空間について〕
図１２(ｂ)に示すように、前記第２収容空間５６は、上下左右の第２内側面９９により画成され、略矩形状の前記第２開口部９３が後方に開口している。第２収容空間５６の上下の第２内側面９９,９９は、後方に向かうにつれて互いに離間すると共に、第２収容空間５６の左右の第２内側面９９,９９は、後方に向かうにつれて互いに離間している(図１１,図１６参照)。すなわち、第２収容空間５６は、前記第１収容空間５５と同様に、前方から後方にかけて次第に拡開する形状とされる。なお、図１２(ｂ)に示す状態を基準として、第２収容空間５６の上下左右の内側面を、第２上内側面９９ａ、第２下内側面９９ｂ、第２左内側面９９ｃおよび第２右内側面９９ｄと夫々指称する場合がある。
【００３８】
図１１に示すように、前記第２上内側面９９ａおよび第２下内側面９９ｂには、前後方向に延在する延出部１００,１００が夫々１つずつ形成され、両延出部１００,１００は上下方向に対向して設けられる。各延出部１００は、第２上内側面９９ａまたは第２下内側面９９ｂから第２収容空間５６側へ突出するよう形成されており、延出部１００における第２収容空間５６側に突出した端縁部１００ａは、互いに平行に延在している(図１１参照)。図１２(ｂ)に示すように、前記第２収容空間５６の内部には、前記第２上内側面９９ａおよび第２左内側面９９ｃの隅部に第２センサ保持部１０１が形成されている。第２センサ保持部１０１は、前記第１センサ保持部８２と同様に、後方に開放する筒状の保持体１０１ａと、該保持体１０１ａの後部から後方に突出する保持フック１０１ｂとを備え、該保持体１０１ａの内部に第２磁気センサ(センサ)１０２が後方から挿入されるようになっている。そして、第２センサ保持部１０１の保持体１０１ａに挿入された第２磁気センサ１０２の後部に前記保持フック１０１ｂが係止することで、第２磁気センサ１０２が第２センサ保持部１０１に着脱自在に取り付けられる。この第２磁気センサ１０２は、第１磁気センサ８３と同様に、磁石等から発せられる磁気を検出するセンサであり、前記不正磁気行為を検出するためのものである。
【００３９】
ここで、図７,図１１に示すように、前記第２中継基板保持部６８に第２中継基板７１を取り付けた状態では、第２中継基板７１は、第２磁気センサ１０２の後方に離間して、該センサ１０２と前後に重なる位置関係となる。そして、第２収容空間５６の第２開口部９３は、第２中継基板７１により後側から覆われて設置部材１４の後側から第２収容空間５６は視認不能となる。このため、第１収容空間５５と同様に、第２中継基板７１を介して主制御装置３１に不正信号を出力して、予め設定された制御とは異なる制御を行わせる等を目的として前記不正部品Ａが第２収容空間５６に設置される虞がある。そこで、第２収容空間５６に対しても、第２不正防止部材(不正防止部材)１０３を着脱自在に配設して、規定の不正部品Ａの第２収容空間５６への設置を防止するよう構成されている。すなわち、第２収容空間５６に第２不正防止部材１０３を配設することで、前記規定のサイズの不正部品Ａについては、第２不正防止部材１０３の存在により第２収容空間５６への設置が阻止される。
【００４０】
〔第２不正防止部材について〕
図１４,図１７(ａ),(ｂ)に示すように、前記第２不正防止部材１０３は、前記第１不正防止部材８４と基本的に同様な構成であって、板状の第２基部(基部)１０４の周縁部から第２側壁部１０５が前方に延出し、前方に開放する略直方体形状をなしている。なお、以下の説明において、図１４に示す状態を基準として、第２基部１０４の上下左右の縁部から延出する第２側壁部１０５を、第２上側壁部１０５ａ、第２下側壁部１０５ｂ、第２左側壁部１０５ｃおよび第２右側壁部１０５ｄと夫々区別して指称する場合がある。前記第２基部１０４は、前記第２開口部９３の開口形状に整合した横長矩形状に形成され、第２不正防止部材１０３が第２収容空間５６に配設された状態で、第２基部１０４が第２開口部９３を塞ぐよう構成される。ここで、第２基部１０４が第２開口部９３を「塞ぐ」とは、第１不正防止部材８４の場合と同様に、第２基部１０４が第２開口部９３を完全に閉塞した状態に加え、該第２基部１０４と第２開口部９３の縁部との間に規定の不正部品Ａを差し込むのが不能となる範囲で隙間が生じた状態を含む意味である。実施例では、第２基部１０４と第２開口部９３の縁部との間には、規定の不正部品Ａが挿入不能となる程度の僅かな隙間が生じている(図１４参照)。前記第２基部１０４には、前後方向に開放する第２配線口１０６が開設されており、前記第２磁気センサ１０２から導出する配線１０２Ｘが第２配線口１０６を介して第２収容空間５６から引き出されるようになっている。図１４,図１５に示すように、第２配線口１０６から引き出された第２磁気センサ１０２の配線１０２Ｘは、前記第２上突壁９４ａの第２配線通孔９８を介して設置部材１４の後方に引き出される。そして、第２磁気センサ１０２の配線１０２Ｘは、前記第３中継基板７２の後方を図１５の右方へ引き回されて、前記第１中継基板７０に接続される。すなわち、図８に示すように、第２磁気センサ１０２は、第１中継基板７０を介して前記主制御装置３１に電気的に接続され、第２磁気センサ１０２の磁気検出信号は、前記主制御装置３１に入力される。
【００４１】
前記第２上側壁部１０５ａおよび第２下側壁部１０５ｂは、第２不正防止部材１０３を第２収容空間５６に挿入する際に、第２上内側面９９ａの延出部１００および第２下内側面９９ｂの延出部１００が夫々摺動して、第２上側壁部１０５ａおよび第２上内側面９９ａが延出部１００,１００によって案内されるようになっている。また、前記第２上側壁部１０５ａおよび第２下側壁部１０５ｂは、前方に向かうにつれて互いに離間するよう傾斜している。なお、図１１には、第２上側壁部１０５ａおよび第２下側壁部１０５ｂが延出部１００,１００に当接することで弾性変形し、両側壁部１０５ａ,１０５ｂが前後に平行な姿勢となった状態が図示されている。また、図１６に示すように、第２左側壁部１０５ｃおよび第２右側壁部１０５ｄは、前方に向かうにつれて互いに離間するよう傾斜している。すなわち、第２不正防止部材１０３は、第１不正防止部材８４と同様に、前方に向かうにつれて拡開した形状とされる。
【００４２】
図１１に示すように、第２側壁部１０５の前端部は、第２不正防止部材１０３を第２収容空間５６に配設した状態で、前記第２突出面部５８の後面に当接するよう構成される。また、第２不正防止部材１０３を第２収容空間５６に配設した状態で、第２上側壁部１０５ａ、第２下側壁部１０５ｂ、第２左側壁部１０５ｃおよび第２右側壁部１０５ｄが、夫々、第２上内側面９９ａ、第２下内側面９９ｂ、第２左内側面９９ｃおよび第２右内側面９９ｄに対向するよう構成される(図１１,図１６参照)。ここで、各第２側壁部１０５が第２収容空間５６の第２内側面９９に対向するとは、第１不正防止部材８４の場合と同様に、前記規定の不正部品Ａを差し込むのが不能となる程度に各第２側壁部１０５が対応の第２内側面９９に近接または当接した状態をいう。すなわち、第２不正防止部材１０３を第２収容空間５６に配設した状態では、前記第２基部１０４が第２開口部９３を塞ぐと共に、各第２側壁部１０５が第２内側面９９に対向し、第２不正防止部材１０３と第２内側面９９との間に規定の不正部品Ａを設置するのは不能とされる。
【００４３】
図１７(ｂ)に示すように、前記第２不正防止部材１０３には、該第２不正防止部材１０３の内部空間を左右に分割する第２仕切壁１０７が複数(実施例では２つ)形成されている。ここで、第２仕切壁１０７は、第２不正防止部材１０３の内部空間を前記規定の不正部品Ａの設置が不能となる寸法の小空間(以下、第２小空間Ｃという)に分割するよう設けられている。すなわち、第２不正防止部材１０３の内部空間は、第２仕切壁１０７により複数(実施例では３つ)の第２小空間Ｃに分割されているので、第２不正防止部材１０３の内部空間に前記不正部品Ａが設置するのは不能とされる。また、図１１に示すように、左右の中央の第２小空間Ｃの前方開口は、第２不正防止部材１０３が第２収容空間５６に配設された状態で、前記第２突出面部５８の第２センサ挿通孔６５に臨むようになっている。そして、第２センサ挿通孔６５を介して第２収容空間５６に臨む第２センサ取付部６４および第２普通球検出センサ６６が、中央の第２小空間Ｃに収容されて第２不正防止部材１０３と干渉することはない。
【００４４】
図１７(ａ),(ｂ)に示すように、前記第２側壁部１０５には、前後方向に延在すると共に弾性変形可能に構成された第２押圧部１０８が形成されている。実施例では、第２下側壁部１０５ｂに２つの第２押圧部１０８,１０８が形成されると共に、第２上側壁部１０５ａ、第２左側壁部１０５ｃおよび第２右側壁部１０５ｄに第２押圧部１０８が夫々１つずつ形成されている。各第２押圧部１０８は、対応の第２側壁部１０５の前端縁部から後方に切り込んだ２つの第２スリット１０９,１０９の間に形成されており、各第２押圧部１０８の前端部には、第２側壁部１０５から外方に突出した第２突部１１０が形成されている。そして、第２不正防止部材１０３を第２収容空間５６に配設した際に、各第２押圧部１０８は、第２不正防止部材１０３の内側(第２不正防止部材１０３の内部空間側)へ弾性変形した状態で、各第２突部１１０が第２収容空間５６の第２内側面９９に当接するようになっている(図１８参照)。更に、第２上側壁部１０５ａおよび第２左側壁部１０５ｃには、両側壁部１０５ａ,１０５ｃの隅部を含む部位を前側から切り欠いて、前方および上下左右方向に開放する第２逃げ部１１１が形成されている。図１８に示すように、第２不正防止部材１０３を第２収容空間５６に配設した状態では、前記第２磁気センサ１０２および第２センサ保持部１０１が第２逃げ部１１１に臨むようになっており、第２磁気センサ１０２および第２センサ保持部１０１がこれら第２上側壁部１０５ａ、第２左側壁部１０５ｃに干渉しないよう構成される。
【００４５】
〔第３中継基板保持部について〕
前記第３中継基板保持部６９は、図９に示す状態を基準として、前記第２右突壁９４ｄの右側に近接して上下方向に延在する第３左突壁１１２と、下対向面部４２ｂの下縁部に沿って延在する第３下突壁１１３と、第３左突壁１１２および前記第１左突壁７４ｃの上端部から両突壁１１２,７４ｃが対向する側へ向けて夫々延出する第３押え片１１４,１１４とから基本的に構成される。また、第３中継基板保持部６９における右側の側壁部は、第１中継基板保持部６７の第１左突壁７４ｃが兼用している。第３下突壁１１３には、後方に突出する第３基板フック１１５,１１５が左右に並んで複数(実施例では２つ)形成されている。更に、第３左突壁１１２および第１左突壁７４ｃには、両突壁１１２,７４ｃが対向する側に突出する第３支持突壁１１６が複数形成されている。そして、前記第３中継基板７２の上縁部を両第３押え片１１４,１１４の前側に臨ませ、該第３中継基板７２の下部側を前方へ押圧することで、両第３基板フック１１５,１１５が第３中継基板７２の下縁部に後方から係止する。これにより、第３中継基板７２は、第３支持突壁１１６に支持された状態で、第３中継基板保持部６９に着脱自在に取り付けられる(図７参照)。図８に示すように、前記第３中継基板７２には、前記払出制御装置２９が接続されている。また、第３中継基板７２は、前記主制御装置３１に電気的に接続されており、前記払出制御装置２９を主制御装置３１に中継接続している。
【００４６】
図１９に示すように、第３中継基板保持部６９には、後方に開放するセンサ設置空間(設置空間)１１７が画成されたセンサ設置部(設置部)１１８が形成されている。このセンサ設置部１１８は、前記庇状収容部５０および前記第１収容空間５５の間に位置しており、該センサ設置部１１８に後述する不正検出装置１２５が着脱自在に配設される(図１４参照)。前記センサ設置部１１８は、前記下対向面部４２ｂより前方に位置する設置前板部１１９(図２０参照)と、該設置前板部１１９の後面から後方に突出する一対のセンサ用ボス１２０,１２０(図１９参照)とを備えており、該センサ用ボス１２０,１２０に後述する不正検出装置１２５のケース体１２８がネジ止めされる。また、センサ設置部１１８の下部は、前記設置部材１４の下側の外周壁部４３で構成されており、外周壁部４３における該センサ設置部１１８の下部をなす部位(以下、設置下板部１２１という)には、後方および上下方向に開放する設置凹部１２２が形成されている。なお、図９に示すように、前記センサ設置空間１１７は、前記第１左突壁７４ｃに設けた第１配線通孔７７を介して前記第１収容空間５５に連通している。
【００４７】
〔電波による不正行為について〕
ここで、前述した２つの始動球検出センサ３６,３７や特別球検出センサ３９は、いわゆる誘導式近接スイッチであって、実施例のパチンコ機１０では、何れも同一のセンサ(以後、これらセンサ３６,３７,３９を単に球検出センサＤという場合がある)が採用されている。図２１(ａ)に示すように、球検出センサＤは、発振回路等を備えたセンサ本体１２３とコイルが設けられてパチンコ球が通過可能な球通過口１２４とを基本構成としている。図２１(ｂ)に示す如く、球検出センサＤは、パチンコ球を検出していない状態(パチンコ球が球通過口１２４を通過していない状態)では、発振回路が発振して、高レベルの信号(以下、ハイレベル信号という)を出力するように設定されている。一方、球検出センサＤは、パチンコ球を検出している状態(パチンコ球が球通過口１２４を通過している間)では、発振回路の発振が停止または減衰して、低レベルの信号(以下、ローレベル信号という)を出力するように設定されている。そして、主制御装置３１は、球検出センサＤからの出力信号がハイレベル信号からローレベル信号に切り換わったときにパチンコ球を１カウントして、前記払出制御装置２９を制御して球払出装置２８に賞球を払い出させる。
【００４８】
ところが、この球検出センサＤに電波を放射して、該球検出センサＤの出力信号を強制的に変更する不正行為(以下、不正電波行為という)が行われることがある。一般的に、この不正電波行為は、図２０に示す如く、不正行為者が遊技盤１２の斜め下方に電波発生器Ｅを隠し持ち、始動入賞装置３５や特別入賞装置３８等が設けられる遊技盤１２の下部中央へ向けて電波を電波発生器Ｅから放射して行われる。この電波発生器Ｅから放射される電波を、パチンコ球が球通過口１２４を通過する間に球検出センサＤが浴びると、該球検出センサＤは、断続的な発振があったと誤検出してしまう。その結果、図２１(ｂ)に示すように、球検出センサＤは、ローレベル信号およびハイレベル信号を繰り返し出力し、前記主制御装置３１は、ハイレベル信号からローレベル信号に切り換わる度にパチンコ球をカウントすることとなる。そして、主制御装置３１は、１個のパチンコ球が球通過口１２４を通過したのにも拘わらず、複数個分のカウントをして、多くの賞球を払い出したり、大当たり抽選が行われてしまう虞がある。そこで、実施例のパチンコ機１０では、このような不正電波行為を検出するべく、前記センサ設置部１１８に不正検出装置１２５が設置されている。
【００４９】
〔不正検出装置について〕
図２２,図２３に示すように、前記不正検出装置１２５は、検出センサユニット(状態変化手段)１２６と、検出用金属球(状態維持手段,磁性体,金属球,遊技球)１２７と、これら検出センサユニット１２６および検出用金属球１２７を収容したケース体１２８とから基本的に構成されている。前記検出センサユニット１２６は、矩形状のセンサ装置本体１２９と、貫通孔が画成された円筒状の検出口１３０とから基本的に構成され、実施例では、前述した始動入賞装置３５や特別入賞装置３８等に設けられる球検出センサＤと同一のものが採用されている。前記検出口１３０の開口円の直径は、前記検出用金属球１２７の直径より僅かに大きく設定されている(図２４(ａ)参照)。前記検出口１３０には、開口縁に沿って検出コイル１３１が巻装されており、該検出コイル１３１により検出口１３０の周囲に磁界を発生させるようになっている。図２５に示すように、前記センサ装置本体１２９には、発振回路Ｆ、発振検出回路Ｇおよび出力回路Ｈが形成されている。図２６(ａ)に示すように、前記発振回路Ｆは、検出口１３０の磁界中に磁性体(検出用金属球１２７)が存在しない状態で、高周波(例えば、１ＭＨｚ)で発振するようになっている。また、図２６(ｂ)に示すように、前記検出口１３０の磁界中に磁性体(検出用金属球１２７)が存在すると、発振回路Ｆは、発振を停止または減衰させるようになっている。実施例の発振回路Ｆは、検出口１３０に磁性体(検出用金属球１２７)が存在した状態で、発振を停止させるように設定されている。
【００５０】
前記発振検出回路Ｇは、前記発振回路Ｆの発振状態を検出して、当該発振状態に応じた信号を出力するものである。図２６(ａ)に示すように、発振検出回路Ｇは、発振回路Ｆの発振を検出すると発振検出信号を前記出力回路Ｈに出力すると共に、図２６(ｂ)に示すように、発振回路Ｆが発振を停止または減衰(実施例では、発振の停止)を検出すると出力回路Ｈに発振停止検出信号を出力するよう構成される。すなわち、検出センサユニット１２６は、磁性体の有無により、発振検出回路Ｇが発振を検出した発振検出状態(第１状態)と、発振検出回路Ｇが発振の停止を検出した発振非検出状態(第２状態)とに状態変化可能に構成されている。
【００５１】
前記出力回路Ｈは、前記発振検出回路Ｇから発振検出信号が入力されると、前記ハイレベル信号を出力し、該発振検出回路Ｇから発振停止検出信号が入力されると、前記ローレベル信号を出力するようになっている。なお、図２６(ｂ)に示すように、ローレベル信号は、０より僅かに大きな値となっている。前記出力回路Ｈは、後述するように第１中継基板７０を介して主制御装置３１に電気的に接続されており、出力回路Ｈから出力されたハイレベル信号およびローレベル信号は、主制御装置３１に入力される。前記検出用金属球１２７は、前記発振回路Ｆの発振を停止させて検出センサユニット１２６を発振非検出状態に維持する(状態変化手段を第２状態に維持する)ものである。実施例では、検出用金属球１２７として、磁性体であるパチンコ球が用いられている。後述するように、検出用金属球１２７は、検出口１３０内に位置した状態でケース体１２８に収容される。
【００５２】
すなわち、実施例の不正検出装置１２５は、前記不正電波行為が行われていない正常時では、検出用金属球１２７により発振回路Ｆの発振が停止されて、検出センサユニット１２６は、発振非検出状態に維持される。従って、図２７に示すように、発振検出回路Ｇは、発振停止検出信号を出力し、出力回路Ｈからローレベル信号が出力されるので、前記主制御装置３１に対して常にローレベル信号が入力される。一方、検出センサユニット１２６が発振非検出状態にある場合において、前記電波発生器Ｅから電波が検出センサユニット１２６に放射されると、図２８に示すように、発振回路Ｆは発振を停止しているのにも拘わらず、電波によって断続的な発振が強制的に生起される。従って、不正電波行為が行われると、発振検出回路Ｇが断続的な発振を検出して、発振検出信号および発振停止検出信号を交互に出力するようになっている。これにより、図２７に示すように、前記出力回路Ｈは、ハイレベル信号およびローレベル信号を主制御装置３１に交互に出力する。なお、実施例に係る不正検出装置１２５では、検出センサユニット１２６における電波の検出範囲が、図２９に示す如く、前記検出口１３０の開口方向側(図２９では上下方向)が大きくなっている。すなわち、検出センサユニット１２６は、検出口１３０の開口方向から放射される電波に反応し易い構成となっている。
【００５３】
図２２,図２３に示すように、前記ケース体１２８は、前記検出口１３０の開口方向に対向する第１半体１３２および第２半体１３３から基本的に構成され、第１半体１３２の後側に第２半体１３３が組み付けられるようになっている。前記第１半体１３２は、略矩形状の第１ケース基体(ケース基体)１３４と該第１ケース基体１３４の周縁部から後方へ延出する第１外壁部(壁部)１３５とから構成され、後方に開放する箱状に形成されている。図２４(ａ)に示すように、第１ケース基体１３４は、上方から下方にかけて後方に傾斜しており、ケース体１２８をセンサ設置部１１８に取り付けた状態で、遊技盤１２の盤面に対し所定角度(実施例では約６０°)傾斜するよう構成される(図２０参照)。左右の第１外壁部１３５,１３５の上部には、薄板状の突出片１３６,１３６が外方に突出するよう夫々形成され、各突出片１３６に円盤状のケース体ボス受け１３７が形成されている。各ケース体ボス受け１３７の前面は、遊技盤１２の盤面と平行な面をなしており、前記センサ設置部１１８のセンサ用ボス１２０,１２０の後端部を対応のケース体ボス受け１３７,１３７に嵌合したもとで、各ケース体ボス受け１３７,１３７の通孔を介してセンサ用ボス１２０,１２０にネジを螺挿することで、第１半体１３２(ケース体１２８)がセンサ設置部１１８にネジ止めされる。
【００５４】
図２３に示すように、前記第１ケース基体１３４の後面には、該第１ケース基体１３４の左右の幅方向に亘って延在する複数(実施例では２つ)の第１規制部(規制部)１３８が形成されている。第１規制部１３８は、第１ケース基体１３４の後面から後方に突出しており、図２４(ａ)に示すように、第１半体１３２に前記検出センサユニット１２６を収容した際に、第１規制部１３８が検出センサユニット１２６に当接して位置決めするようになっている。左右の第１外壁部１３５,１３５には、前後方向に延在する一対の案内リブ１３９,１３９が夫々形成されている(図２３,図２４(ｂ)に左側の案内リブ１３９,１３９を図示)。一対の案内リブ１３９,１３９は、所定間隔離間して互いに平行に延在している。また、左右の第１外壁部１３５,１３５には、一対の案内リブ１３９,１３９の間を上下に延在する係止段部１４０が夫々形成され(図２２に右側の係止段部１４０を図示)、各第１外壁部１３５の係止段部１４０より前側の部位は、内側(対向する第１外壁部１３５側)に凹んでいる。更に、右側の第１外壁部１３５の下部には、該第１外壁部１３５の後縁部を切り欠いて第１配線用切欠部１４１が形成されている。
【００５５】
図２２,図２３に示すように、前記第２半体１３３は、略矩形状の第２ケース基体(ケース基体)１４２と該第２ケース基体１４２の周縁部から前方へ延出する第２外壁部(壁部)１４３とから構成され、前方に開放する箱状に形成されている。第２半体１３３の前側に開放する開口形状は、前記第１半体１３２の後側に開放する開口形状と略一致している。第２ケース基体１４２は、上方から下方にかけて後方に傾斜しており、ケース体１２８を前記センサ設置部１１８に取り付けた状態で、遊技盤１２の盤面に対して所定角度(実施例では、約６０°)傾斜するよう構成される(図２０参照)。すなわち、図２４(ａ)に示すように、第１半体１３２および第２半体１３３を組み付けた状態で、第１ケース基体１３４および第２ケース基体１４２は互いに平行に延在するようになっている。
【００５６】
図２２に示すように、左右の第２外壁部１４３,１４３には、弾性変形可能な薄板状の弾性係止片１４４,１４４が前方に延出するよう夫々形成されている。両弾性係止片１４４,１４４の離間距離は、前記第１半体１３２の左右の幅寸法(左右の第１外壁部１３５,１３５の離間距離)より僅かに大きく設定されている。また、図２４(ｂ)に示すように、各弾性係止片１４４の上下方向の寸法は、前記一対の案内リブ１３９,１３９の離間距離より僅かに小さく設定される。図２２に示すように、各弾性係止片１４４の前端部には、内側(対向する弾性係止片１４４側)へ突出するケース係止部１４５が形成されている。両ケース係止部１４５,１４５の離間間隔は、前記第１半体１３２の左右の幅寸法(左右の第１外壁部１３５,１３５の離間距離)より僅かに小さく設定されている。そして、各弾性係止片１４４を弾性変形させつつ一対の案内リブ１３９,１３９の間に差し込み、各ケース係止部１４５が対応の係止段部１４０に係止することで、第１半体１３２および第２半体１３３が着脱自在に組み付けられる(図２４(ｂ)参照)。第１半体１３２および第２半体１３３が組み付けられた状態では、該第１半体１３２の第１外壁部１３５の後端部が第２半体１３３の第２外壁部１４３の前端部に当接し、第１半体１３２および第２半体１３３の間に前記検出センサユニット１２６および検出用金属球１２７を収容可能な空間が画成される。
【００５７】
図２２に示すように、前記第２ケース基体１４２の前面には、該第２ケース基体１４２の左右の幅方向に亘って延在する複数(実施例では２つ)の第２規制部(規制部)１４６が前方に突出するよう形成されており、第２半体１３３に検出センサユニット１２６を収容した状態で、第２規制部１４６が検出センサユニット１２６に当接して位置決めするようになっている。すなわち、図２４(ａ)に示すように、第１半体１３２および第２半体１３３を組み付けた状態では、検出センサユニット１２６が第１規制部１３８および第２規制部１４６により挟持されて、検出センサユニット１２６が第１ケース基体１３４および第２ケース基体１４２と平行な姿勢に保持される。また、第２規制部１４６の第２ケース基体１４２の前面からの離間距離ｍ２は、第１規制部１３８における第１ケース基体１３４の後面からの離間距離ｍ１と略同一に設定されている。従って、検出センサユニット１２６は、第１ケース基体１３４および第２ケース基体１４２の離間方向(検出口１３０の開口方向)の略中央位置に保持される。更に、第１半体１３２および第２半体１３３を組み付けた状態で、第１ケース基体１３４および第２ケース基体１４２の離間距離ｌは、前記検出用金属球１２７の直径寸法と略等しくなるよう設定されている。従って、検出口１３０内に位置する検出用金属球１２７は、第１ケース基体１３４および第２ケース基体１４２で挟持されて、ケース体１２８内にガタつくことなく保持される。検出用金属球１２７がケース体１２８内に収容された状態では、検出用金属球１２７の中心が検出口１３０における開口方向の中央部と略一致するよう位置している。
【００５８】
図２２に示すように、右側の前記第２外壁部１４３の下部には、第２外壁部１４３の前縁部を切り欠いて第２配線用切欠部１４７が形成されている。この第２配線用切欠部１４７は、第１半体１３２および第２半体１３３を組み付けた状態で、第１配線用切欠部１４１に整合して、１つの配線用挿通孔１４８を画成する(図２４(ａ)参照)。そして、この配線用挿通孔１４８には、前記ケース体１２８に収容された検出センサユニット１２６の配線１２６Ｘが挿通されて、該ケース体１２８の外部に引き出されるよう構成される。図１５に示すように、不正検出装置１２５をセンサ設置部１１８に取り付けた状態では、ケース体１２８の下部側が設置凹部１２２を介して前記設置下板部１２１から下方に突出し、配線用挿通孔１４８がセンサ設置部１１８の外部に露出する。そして、配線用挿通孔１４８を介して引き出された検出センサユニット１２６の配線１２６Ｘは、前記第１中継基板７０に接続される。
【００５９】
図１５に示すように、不正検出装置１２５がセンサ設置部１１８に取り付けられた状態では、不正検出装置１２５は、前記庇状収容部５０の装置用空間５０ａの左方(図１５では、右方)に位置する。従って、不正検出装置１２５は、遊技盤１２の下部後方において、前記始動入賞装置３５や特別入賞装置３８に近接して位置することとなる(図４,図２０参照)。また、センサ設置部１１８は、設置部材１４の後側に設けられるから、不正検出装置１２５は、設置部材１４で隠されて遊技盤１２の前側から視認不能となる。しかも、前記検出センサユニット１２６は、上方から下方に向けて後方に傾斜した姿勢でケース体１２８内に収容されているから、図２０に示すように、前記検出口１３０の開口方向が後方から前方に向けて下方傾斜する方向となる。すなわち、検出口１３０の開口方向を遊技盤１２の前側下方へ向けて指向させることで、遊技盤１２の前側下方にセットした電波発生器Ｅから放射される不正電波を捉え易くしている。また、不正検出装置１２５がセンサ設置部１１８に取り付けられた状態では、ケース体１２８の大部分が前記センサ設置空間１１７に収容されて、ケース体１２８の後部が設置部材１４の後部から突出しないようになっている。なお、前記第３中継基板７２が第３中継基板保持部６９に取り付けられた状態では、前記センサ設置空間１１７が第３中継基板７２により閉塞され、図７に示すように、不正検出装置１２５は、ケース体１２８の下部を残して第３中継基板７２により覆われる。
【００６０】
〔主制御装置の不正判定について〕
前述のように、前記主制御装置３１は、正常時(発振非検出状態)には、不正検出装置１２５からローレベル信号が入力される(図２７参照)。また、不正電波行為により検出ユニットが発振検出状態に状態変化されると、出力回路Ｈからハイレベル信号が入力される。そして、主制御装置３１は、不正検出装置１２５からの信号がローレベル信号からハイレベル信号に切り換わったときに、不正電波行為が発生したと判定するようになっている(図２７参照)。すなわち、検出用金属球１２７により発振非検出状態に維持されている筈の検出センサユニット１２６が発振検出状態に状態変化されると、主制御装置３１は不正電波行為を検出する。
【００６１】
ここで、不正行為者により検出センサユニット１２６から導出する配線１２６Ｘを切断されたり、検出センサユニット１２６から引き抜かれたりした場合(以下、断線行為という)、図２７に示すように、出力回路Ｈから信号が出力されなくなる(すなわち、信号が０となる)。そこで、主制御装置３１は、前記断線行為により、出力回路Ｈからの出力がなくなったときに、断線行為が発生したと判定するよう設定されている。また、不正行為者が検出ユニットから検出用金属球１２７を抜き取った場合(以下、球抜行為という)、発振回路Ｆは発振を再開して、前記検出センサユニット１２６が発振検出状態に維持される。このため、前記電波発生器Ｅからの電波を受けても発振回路Ｆの発振は継続されるから、図２７に示すように、出力回路Ｈからハイレベル信号が出力され続ける。すなわち、電波を受けても出力回路Ｈから出力される信号が切り換わらなくなるから、不正電波行為を検出し得なくなってしまう。そこで、主制御装置３１は、前記球抜行為により、出力回路Ｈからの出力がローレベル信号からハイレベル信号に切り換わったときに、球抜行為が発生したと判定するようになっている。なお、不正磁気行為については、前記第１,第２磁気センサ８３,１０２から前記磁気検出信号が入力されたときに、主制御装置３１が不正磁気行為の発生を判定する。
【００６２】
〔不正判定時の制御構成について〕
次に、不正判定時における主制御装置３１の制御構成について、以下説明する。前記主制御装置３１は、前記断線行為および球抜行為を含む不正電波行為や不正磁気行為の発生を検出すると、これら不正行為の発生を報知する制御を行う。すなわち、主制御装置３１は、前記統括制御装置１９に制御信号を出力して前記液晶表示装置１５やランプ装置１８、スピーカ２２に不正行為の発生を報知させる。ここで、図３０に示すように、実施例に係るパチンコ機１０では、不正電波行為(断線行為および球抜行為を含む)および不正磁気行為で、液晶表示装置１５、ランプ装置１８およびスピーカ２２での作動態様が異なっている。従って、主制御装置３１は、発生した不正行為に対応した制御信号を統括制御装置１９に出力するよう構成される。具体的には、不正電波行為が発生した場合には、液晶表示装置１５の表示部１５ａに不正電波行為発生の旨を表示させると共に、スピーカ２２に不正電波行為発生の旨を音声出力させる。更に、前記ランプ装置１８を第１の色(実施例では、緑色)で発光させて、不正電波行為の発生を報知させる。また、不正磁気行為が発生した場合には、液晶表示装置１５の表示部１５ａに不正磁気行為発生の旨を表示させると共に、スピーカ２２に不正磁気行為発生の旨を音声出力させる。更に、ランプ装置１８を第２の色(実施例では、紫色)で発光させて、不正磁気行為の発生を報知する。
【００６３】
図８に示すように、主制御装置３１は、パチンコ機１０の裏側に設けた外部端子板１５０を介して遊技場の管理室等に設置されたホールコンピュータ(報知手段)１４９に電気的に接続されている。そして、前記不正電波行為および不正磁気行為を検出すると、主制御装置３１は、ホールコンピュータ１４９に対してセキュリティー信号を出力するよう設定されている。実施例では、不正電波行為および不正磁気行為の何れの場合も、同一のセキュリティー信号が出力されるようになっている。前記ホールコンピュータ１４９では、セキュリティー信号が入力されると、不正行為の発生を該ホールコンピュータ１４９の図示しないディスプレイ等に表示させて、管理者等に不正行為の発生を報知させるようになっている。ここで、何れの不正行為が発生しても、同一のセキュリティー信号がホールコンピュータ１４９に入力されるので、前記ディスプレイでの表示内容は同一となる。但し、液晶表示装置１５やランプ装置１８、スピーカ２２における作動態様は、不正電波行為および不正磁気行為で異なっていることから、何れの不正行為が発生したかを判別することは可能である。
【００６４】
〔実施例の作用〕
次に、前述した実施例の作用について、以下説明する。
【００６５】
〔第１,第２不正防止部材について〕
先ず始めに、第１,第２不正防止部材８４,１０３の作用について説明する。第１,第２球通路固定部５１,５２に、前記第１,第２球通路部材５３,５４を取り付ける場合に、第１突出面部５７の固定ボス５７ａ,５７ａに第１球通路部材５３のボス受け部５３ａ,５３ａをネジ止めすると共に、第２突出面部５８の固定ボス５８ａ,５８ａに第２球通路部材５４のボス受け部５４ａ,５４ａをネジ止めする。これにより、図５に示すように、第１,第２球通路部材５３,５４が、第１,第２球通路固定部５１,５２に取り付けられる。このとき、図１０に示すように、第１球通路部材５３の第１センサ取付部６１に設置した第１普通球検出センサ６３が、前記第１突出面部５７の第１センサ挿通孔６２を介して第１収容空間５５における上段部７９の上方に臨む。同様に、図１１に示すように、第２球通路部材５４の第２センサ取付部６４に設置した第２普通球検出センサ６６は、前記第２突出面部５８の第２センサ挿通孔６５を介して第２収容空間５６に臨む。ここで、第１,第２球通路固定部５１,５２は、設置部材１４の対向面部４２から前方に突出するよう形成されているから、図５に示すように、第１,第２球通路部材５３,５４は、設置部材１４の開口前端側に臨んだ状態となる。また、第１,第２球通路部材５３,５４を固定する固定ボス５７ａ,５７ａ,５８ａ,５８ａは、前記対向面部４２より前方に位置する第１,第２突出面部５７,５８に設けられている。このため、固定ボス５７ａ,５７ａ,５８ａ,５８ａを対向面部４２に直接設けた場合に較べ、第１,第２突出面部５７,５８が前方に突出する分だけ固定ボス５７ａ,５７ａ,５８ａ,５８ａの前後寸法を短くし得る。従って、固定ボス５７ａ,５７ａ,５８ａ,５８ａの強度が向上して、第１,第２球通路部材５３,５４を安定して設置部材１４に取り付けることができる。
【００６６】
次に、第１,第２収容空間５５,５６に、第１,第２磁気センサ８３,１０２を夫々取り付ける。すなわち、前記第１開口部７３を介して第１磁気センサ８３を第１収容空間５５に挿入し、第１センサ保持部８２の保持体８２ａに第１磁気センサ８３を差し込む。そして、第１センサ保持部８２の保持フック８２ｂが第１磁気センサ８３に係止することで、第１磁気センサ８３が第１センサ保持部８２に取り付けられる(図１２(ａ)参照)。同様に、前記第２開口部９３を介して第２磁気センサ１０２を第２収容空間５６に挿入し、第２センサ保持部１０１の保持体１０１ａに第２磁気センサ１０２を差し込む。そして、第２センサ保持部１０１の保持フック１０１ｂが第２磁気センサ１０２に係止することで、第２磁気センサ１０２が第２センサ保持部１０１に取り付けられる(図１２(ｂ)参照)。このとき、第１,第２収容空間５５,５６は、前方から後方に向けて拡開しているから、第１,第２磁気センサ８３,１０２を第１,第２センサ保持部８２,１０１に容易に取り付けることができる。
【００６７】
次に、第１収容空間５５に第１不正防止部材８４を配設する際には、第１側壁部８６の前側を第１開口部７３に挿入し、第１不正防止部材８４を第１収容空間５５に押し込める。このとき、図１０に示すように、第１収容空間５５の第１内側面７８は、前方から後方へかけて拡開するよう形成されているから、第１開口部７３の開口寸法を前側(第１突出面部５７)より大きくし得る。従って、第１不正防止部材８４を第１収容空間５５に容易に挿入することができ、作業性を向上し得る。
【００６８】
第１不正防止部材８４を更に挿入して、図１０に示すように、第１側壁部８６の前端が前記第１収容空間５５内部の連結壁８１に当接すると、第１不正防止部材８４が第１収容空間５５に完全に差し込まれる。このとき、各第１側壁部８６の第１突部９１が対応の第１内側面７８に当接して、前記第１押圧部８９が弾性変形した状態となる。すなわち、第１押圧部８９の弾性力により第１突部９１が第１側壁部８６を押圧し、第１不正防止部材８４が第１収容空間５５に所定の係止力で配設される。これにより、第１不正防止部材８４が第１収容空間５５からすり抜けたり、僅かな衝撃で脱落したりするのを防止し得る。しかも、第１押圧部８９により第１不正防止部材８４が第１収容空間５５内で保持されるから、該第１不正防止部材８４を固定部材等で固定する必要がなく、第１不正防止部材８４の取り付けが容易となる。また、第１不正防止部材８４は、後方から前方にかけて第１側壁部８６が拡開する形状とされて、第１収容空間５５の構成とは反対の関係となっている。従って、第１側壁部８６の前側にある第１突部９１が第１内側面７８に確実に当接して、第１不正防止部材８４を第１収容空間５５にしっかりと保持することができる。
【００６９】
図１０に示すように、第１不正防止部材８４を第１収容空間５５に挿入した際に、第１逃げ部９２に第１磁気センサ８３および第１センサ保持部８２が臨むから、第１上側壁部８６ａが第１磁気センサ８３、第１センサ保持部８２に干渉するのは防止される。第１磁気センサ８３から導出する配線８３Ｘは、図１４に示すように、第１基部８５の第１配線口８７を介して第１収容空間５５の後方に引き出される。そして、第１収容空間５５から引き出された第１磁気センサ８３の配線８３Ｘは、第１中継基板保持部６７の第１配線通孔７７を左方へ引き回される。
【００７０】
ここで、図１４に示すように、第１不正防止部材８４が第１収容空間５５に配設された状態では、第１基部８５が第１開口部７３と略同一面上に位置して、該第１基部８５が第１開口部７３を塞いだ状態となる。更に、図１０,図１６に示すように、第１側壁部８６が対応の第１内側面７８に対向し、第１収容空間５５における後側(下段部８０側)の空間が第１不正防止部材８４で埋められる。すなわち、第１不正防止部材８４は、第１内側面７８との間に僅かな隙間しか残らない程度に第１収容空間５５に嵌まり込むから、該第１不正防止部材８４と第１内側面７８との間に不正部品Ａを設置するのは不能とされる。また、第１不正防止部材８４の内部空間は、第１仕切壁８８により第１小空間Ｂに分割されているから、第１不正防止部材８４の内部空間に不正部品Ａが設置されることもない。更に、前記第１逃げ部９２を設けることで、第１収容空間５５の前側の空間を第１不正防止部材８４で略隙間なく埋めることができるので、不正部品Ａの設置をより効果的に防止し得る。なお、図１０に示すように、第１収容空間５５の前側(上段部７９側)の空間には、第１普通球検出センサ６３が収容されるから、該センサ６３の存在により第１収容空間５５の前側への不正部品Ａの設置も不能とされる。
【００７１】
また、第１収容空間５５に第１不正防止部材８４を配設することで、第１球通路部材５３の固定部としての第１球通路固定部５１の強度を向上することができ、第１球通路部材５３を安定して固定することができる。更に、第１不正防止部材８４により第１収容空間５５内が埋められることで、該第１収容空間５５内に塵埃等が溜まり難くなり、前記第１普通球検出センサ６３や第１磁気センサ８３に不具合等が生じるのを回避し得る。
【００７２】
第２不正防止部材１０３を前記第２収容空間５６に配設する場合には、第２側壁部１０５の前側を第２開口部９３に挿入し、第２不正防止部材１０３を第２収容空間５６に押し込める。図１１に示すように、第２収容空間５６においても、第２内側面９９は、前方から後方へかけて拡開するよう形成されているから、第２開口部９３の開口寸法を大きくとることができ、第２不正防止部材１０３を第２収容空間５６に容易に挿入することができる。また、第２不正防止部材１０３を挿入する際、第２収容空間５６の第２上内側面９９ａに設けた延出部１００に第２不正防止部材１０３の第２上側壁部１０５ａが摺動すると共に、第２収容空間５６の第２下内側面９９ｂに設けた延出部１００に第２不正防止部材１０３の第２下側壁部１０５ｂが摺動する。このとき、図１１に示す如く、延出部１００,１００の端縁部１００ａ,１００ａは、前後方向に互いに平行に延在しているから、第２上内側面９９ａおよび第２下内側面９９ｂが延出部１００,１００に案内されて、第２不正防止部材１０３をスムーズに第２収容空間５６に挿入することができる。
【００７３】
第２不正防止部材１０３の第２側壁部１０５が第２突出面部５８に当接すると、第２不正防止部材１０３が第２収容空間５６に完全に挿入される。このとき、図１８に示すように、各第２側壁部１０５の第２突部１１０が対応の第２内側面９９に当接して、各第２押圧部１０８が弾性変形した状態となるから、第２不正防止部材１０３が第２収容空間５６に所定の係止力で配設される。従って、第２不正防止部材１０３が第２収容空間５６から簡単に抜け落ちたりするのを防止し得る。また、他の固定手段等で第２不正防止部材１０３を固定する必要がないから、第２不正防止部材１０３の取り付けが容易となる。しかも、第２不正防止部材１０３は、後方から前方に向けて拡開しているから、第２突部１１０が第２内側面９９に確実に当接して、第２不正防止部材１０３が第２収容空間５６にしっかりと保持される。
【００７４】
図１８に示すように、第２不正防止部材１０３を第２収容空間５６に挿入した際に、前記第２逃げ部１１１に第２磁気センサ１０２および第２センサ保持部１０１が臨むから、第２上側壁部１０５ａおよび第２左側壁部１０５ｃが第２磁気センサ１０２および第２センサ保持部１０１に干渉することはない。第２磁気センサ１０２から導出する配線１０２Ｘは、前記第２配線口１０６を介して第２収容空間５６の後方に引き出され、前記第２中継基板保持部６８の第２配線通孔９８から上方へ引き出される(図１４参照)。なお、図１１に示すように、第２不正防止部材１０３が第２収容空間５６に挿入されると、前記第２普通球検出センサ６６の後部が、第２不正防止部材１０３の第２小空間Ｃに収容される。
【００７５】
図１４に示すように、第２不正防止部材１０３が第２収容空間５６に配設された状態では、第２基部１０４が第２開口部９３を塞ぐと共に、第２側壁部１０５が対応の第２内側面９９に対向して、第２収容空間５６は第２不正防止部材１０３で埋められる。すなわち、第２不正防止部材１０３は、第２内側面９９との間に僅かな隙間しか残らない程度に第２収容空間５６に嵌まり込むから、該第２不正防止部材１０３と第２内側面９９との間に不正部品Ａを設置するのは不能とされる。また、第２不正防止部材１０３の内部空間は、第２仕切壁１０７により不正部品Ａの設置が不能となる大きさの第２小空間Ｃに分割されているから、該第２不正防止部材１０３の内部空間に不正部品Ａが設置されることもない。しかも、前記第２逃げ部１１１を設けることで、第２収容空間５６内を第２不正防止部材１０３で略隙間なく埋めることができるから、不正部品Ａの設置をより効果的に防止することができる。
【００７６】
なお、第２収容空間５６に第２不正防止部材１０３を配設することで、第２球通路固定部５２の強度が向上されて、第２球通路部材５４を安定的に固定し得る利点がある。また、第２不正防止部材１０３により第２収容空間５６内を埋めることで、該第２収容空間５６内に塵埃等が溜まり難くなり、前記第２普通球検出センサ６６や第２磁気センサ１０２に不具合等が生じるのを抑制し得る。
【００７７】
なお、第１,第２押圧部８９,１０８は、第１,第２突部９１,１１０が第１,第２内側面７８,９９に単に当接するだけだから、第１,第２不正防止部材８４,１０３を後方へ引き抜くだけで容易に第１,第２収容空間５５,５６から取り外すことができる。また、第２不正防止部材１０３については、第２収容空間５６から引き抜く際に前記延出部１００,１００によって第２上側壁部１０５ａおよび第２下側壁部１０５ｂが案内されるから、第２不正防止部材１０３をスムーズに第２収容空間５６から取り外すことができる。
【００７８】
第１〜第３中継基板７０,７１,７２を第１〜第３中継基板保持部６７,６８,６９に夫々取り付けると、図１５に示すように、第１,第２収容空間５５,５６は、第１,第２中継基板７０,７１に夫々後方から閉塞されて、設置部材１４の後方から視認不能となる。しかるに、第１,第２収容空間５５,５６は、第１,第２不正防止部材８４,１０３により埋められているから、当該空間５５,５６に不正部品Ａが設置されることはなく、長期に亘って不正行為が継続する事態を阻止し得る。図１５に示すように、前記第１配線通孔７７から引き出された第１磁気センサ８３の配線８３Ｘは、第１中継基板７０に接続される。すなわち、第１磁気センサ８３の配線８３Ｘについては、第１収容空間５５の真後ろに位置する第１中継基板７０に接続する構成としたので、該配線８３Ｘを引き回す距離が短くなって、配線作業を簡単にし得る。前記第２配線通孔９８から引き出された第２磁気センサ１０２の配線１０２Ｘは、設置部材１４における図１５の右方へ引き回されて、前記第１中継基板７０に接続される。
【００７９】
〔不正検出装置について〕
次に、不正検出装置１２５の作用について説明する。先ず始めに、不正検出装置１２５を組み付ける際には、第１半体１３２に検出センサユニット１２６をセットし、前記検出口１３０内に検出用金属球１２７を挿入する。そして、第２半体１３３の弾性係止片１４４,１４４を対応する案内リブ１３９,１３９の間に差し込み、ケース係止部１４５,１４５を係止段部１４０,１４０に係止させることで、第１半体１３２および第２半体１３３が組み付けられる。このように、ケース体１２８は、弾性係止片１４４,１４４のケース係止部１４５,１４５を係止段部１４０,１４０に係止させるだけで、容易に組み付けることができ、ネジ等の固定手段を用いる必要がない。しかも、不正検出装置１２５は、ケース体１２８内に検出センサユニット１２６および検出用金属球１２７が収容されて、１つのユニットとして扱うことができるので、不正検出装置１２５の取り扱いが容易となる。
【００８０】
図２４(ａ)に示すように、第１半体１３２および第２半体１３３を組み付けると、検出センサユニット１２６が第１規制部１３８および第２規制部１４６により挟持されて、検出センサユニット１２６は、第１ケース基体１３４および第２ケース基体１４２と平行な姿勢に保持される。これにより、検出センサユニット１２６は、第１ケース基体１３４および第２ケース基体１４２の離間方向の略中央位置でガタつくことなく保持される。更に、検出口１３０内にセットした検出用金属球１２７に対して、第１ケース基体１３４および第２ケース基体１４２が当接するから、該検出用金属球１２７は、検出口１３０内の開口方向の略中央位置に保持される。すなわち、検出用金属球１２７を検出コイル１３１の誘導磁界内に正確に位置させることができ、検出センサユニット１２６を発振非検出状態に確実に維持させることが可能となる。
【００８１】
第１半体１３２および第２半体１３３を組み付けるだけで、検出センサユニット１２６および検出用金属球１２７の適切な位置関係が規定されるから、両者の位置関係を確保するための慎重な作業を要することなく、組み付け作業を極めて効率的にすることができる。また、検出センサユニット１２６および検出用金属球１２７を適切な位置関係で保持するための複雑な構造を要しないから、コストを低廉にし得る。しかも、球体の検出用金属球１２７を採用することで、該検出用金属球１２７の姿勢を考慮することなく検出口１３０内に位置させればよく、検出用金属球１２７の組み付けが簡単となる。このように、実施例では、検出センサユニット１２６として、既存の検出センサＤと同一のものを採用し、検出用金属球１２７としてのパチンコ球により検出センサユニット１２６を発振非検出状態に維持する構成とした。従って、検出センサユニット１２６や検出用金属球１２７を新たに開発、製造する必要がなく、コストを低廉にし得る。
【００８２】
次に、センサ設置部１１８に不正検出装置１２５を取り付ける。すなわち、設置凹部１２２にケース体１２８の下部側を臨ませると共に、不正検出装置１２５をセンサ設置空間１１７に挿入して、ケース体１２８のケース体ボス受け１３７,１３７を、センサ設置部１１８のセンサ用ボス１２０,１２０の後端部に整合させる。そして、センサ用ボス１２０,１２０にネジを螺挿することで、不正検出装置１２５がセンサ設置部１１８に取り付けられる。このとき、図１５に示すように、不正検出装置１２５の下部側が、設置凹部１２２を介してセンサ設置空間１１７から下方に突出し、ケース体１２８の配線用挿通孔１４８がセンサ設置空間１１７の外部に臨む。この状態で、配線用挿通孔１４８から引き出された検出センサユニット１２６の配線１２６Ｘを、第１中継基板７０に接続する。このように、不正検出装置１２５を設置部材１４の後側に設けたので、第１中継基板７０に容易に配線１２５Ｘを接続することができ、配線作業を効率的に行い得る。また、図２０に示すように、不正検出装置１２５の大部分は、センサ設置空間１１７に収容されて、ケース体１２８の後部が設置部材１４の後側で嵩張らないようになっている。すなわち、不正検出装置１２５が設置部材１４の後部から突出して、該不正検出装置１２５が邪魔になるのを防止し得る。
【００８３】
不正検出装置１２５がセンサ設置部１１８に取り付けられると、該不正検出装置１２５は、遊技盤１２の下部後方において、前記始動入賞装置３５や特別入賞装置３８に近接して位置することとなる(図４,図２０参照)。そして、ケース体１２８が上方から下方に向けて後方に傾斜した姿勢となるから、検出センサユニット１２６の検出口１３０の開口方向は、後方から前方に向けて下方傾斜した方向となる。従って、図２０に示す如く、遊技盤１２の前側下方から前記始動入賞装置３５や特別入賞装置３８に向けて放射された電波を捉え易くして、不正電波行為を確実に検出することが可能となる。しかも、不正検出装置１２５は、設置部材１４で隠されて遊技盤１２の前側から視認不能となるから、不正行為者に不正対策が施されていることを覚知されるのを回避し得る。また、不正検出装置１２５の設置箇所が判別し得ないから、該不正検出装置１２５の検出範囲を避けるように電波を放射させて、不正電波行為の検出を免れるような行為を抑制することができる。
【００８４】
〔不正行為時の作用について〕
次に、不正電波行為が行われた場合の作用について、説明する。なお、不正検出装置１２５は、不正電波行為が行われていない正常時では、前記検出用金属球１２７により検出センサユニット１２６が発振非検出状態に維持されて、出力回路Ｈからローレベル信号が出力されている。従って、図２７示すように、正常時においては、主制御装置３１にローレベル信号が入力され続ける。不正電波行為が発生すると、図２８に示すように、電波により発信検出回路Ｇが断続的な発振を誤検出して、出力回路Ｈは、ローレベル信号およびハイレベル信号を交互に繰り返し出力する。そして、主制御装置３１は、出力回路Ｈからの信号がローレベル信号からハイレベル信号に切り換わったときに、不正電波行為が発生したと判定する。すなわち、実施例の不正検出装置１２５によれば、電波により検出センサユニット１２６が発振非検出状態から発振検出状態に変化するので、簡単な構造により不正電波行為を極めて容易に検出し得る。そして、実施例では、出力回路Ｈからの出力がローレベル信号からハイレベル信号に切り換わったことで、主制御装置３１が不正電波行為の発生を判定するので、極めて簡単な制御で不正電波行為を検出することができる。従って、主制御装置３１での制御負担を少なくすることができ、誤判定が生ずる可能性も少なくなる。また、検出センサユニット１２６に電波を検出するための回路等を別途形成することなく、既存の検出センサＤと同じものを検出センサユニット１２６として採用し得るから、不正検出装置１２５の製造コストを抑制することができる。
【００８５】
不正電波行為の発生を判定すると、主制御装置３１は、統括制御装置１９に制御信号を出力して、液晶表示装置１５、ランプ装置１８およびスピーカ２２に不正電波行為の発生を報知させる。すなわち、図３０に示すように、液晶表示装置１５は、表示部１５ａに不正電波行為発生の旨を表示させると共に、スピーカ２２が不正電波行為発生の旨を音声出力する。更に、前記ランプ装置１８が第１の色で発光体を発光させて、不正電波行為の発生を遊技場の従業員等に報知させる。このように、不正電波行為が発生すると、直ちに当該不正の発生を液晶表示装置１５等が報知するから、当該不正を遊技場内の従業員等に速やかに知らせることができる。しかも、液晶表示装置１５やスピーカ２２等には、不正電波行為の発生の旨が報知されると共に、ランプ装置１８が不正電波行為に対応した第１の色で発光するから、従業員等は、何れの不正行為が発生したかについても容易に判別することができ、迅速に対応することができる。
【００８６】
更に、主制御装置３１は、外部端子板１５０を介してホールコンピュータ１４９にセキュリティー信号を出力する。セキュリティー信号を受けたホールコンピュータ１４９は、ディスプレイに何らかの不正行為が発生した旨を表示させて、管理室の管理者等に報知させる。このように、不正電波行為の発生が判定されると、パチンコ機１０だけでなく、ホールコンピュータ１４９にも報知されるので、仮に遊技場の従業員等が不正の発生に気付かなかったとしても、管理室の管理者等に不正の発生を知らせることができる。なお、ホールコンピュータ１４９には、同一のセキュリティー信号が入力されるから、前記ディスプレイでの表示内容は何れの不正行為(不正電波行為または不正磁気行為)が生じた場合でも同一となる。しかるに、前述のように、液晶表示装置１５やランプ装置１８、スピーカ２２において不正電波行為である旨が報知されるから、従業員等は、不正電波行為が発生したことを認識することができる。
【００８７】
次に、前記断線行為が行われた場合には、図２７に示すように、出力回路Ｈから主制御装置３１に信号が入力されなくなる。出力回路Ｈからの入力がなくなると、主制御装置３１は、断線行為が発生したと判定して、前述した不正電波行為の場合と同じ対応を行う。すなわち、液晶表示装置１５の表示部１５ａに不正電波行為発生の旨が表示されると共に、スピーカ２２が不正電波行為発生の旨を音声出力する。また、前記ランプ装置１８を第１の色で発光させて、不正電波行為の発生を遊技場の従業員等に報知させる。更に、主制御装置３１は、ホールコンピュータ１４９にセキュリティー信号を出力して、ホールコンピュータ１４９のディスプレイに何らかの不正行為が発生した旨を表示させる。このように、実施例では、断線行為が行われた場合にも、当該行為を検出し得るので、検出センサユニット１２６の配線１２６Ｘを切断して、不正検出装置１２５が無効化されるのを防止し得る。
【００８８】
また、前記球抜行為が行われた場合には、検出用金属球１２７が検出口１３０から取り外されることで、前記発振回路Ｆが発振を開始する。従って、発振検出回路Ｇが発振を検出して、検出センサユニット１２６が発振検出状態に状態変化する。これにより、図２７に示すように、出力回路Ｈの出力信号はローレベル信号からハイレベル信号に切り換わる。そこで、主制御装置３１は、出力回路Ｈから入力される信号がローレベル信号からハイレベル信号に切り換わったときに、球抜行為が発生したと判定して、前述した不正電波行為の場合と同じ対応を行って、不正の発生を報知する。このように、実施例では、球抜行為が行われた場合においても、当該不正行為を検出し得るので、検出用金属球１２７を検出口１３０から取り外して、不正検出装置１２５が無効化されるのを防止することができる。
【００８９】
なお、不正磁気行為が行われた場合には、磁石等の磁気を第１磁気センサ８３または第２磁気センサ１０２が検出して、検出信号を主制御装置３１に出力する。第１磁気センサ８３または第２磁気センサ１０２から検出信号が入力されると、主制御装置３１は、不正磁気行為が発生したと判定して、当該不正行為を液晶表示装置１５等に報知させる。すなわち、主制御装置３１は、統括制御装置１９に制御信号を出力して、液晶表示装置１５、ランプ装置１８およびスピーカ２２に不正電波行為の発生を報知させる。具体的には、図３０に示すように、液晶表示装置１５の表示部１５ａに不正磁気行為発生の旨を表示させると共に、スピーカ２２に不正磁気行為発生の旨を音声出力させる。更に、前記ランプ装置１８が第２の色で発光体を発光させて、不正磁気行為の発生を遊技場の従業員等に報知させる。このように、不正磁気行為が発生した場合にも、当該不正行為の発生を直ちに従業員等に報知することができる。しかも、液晶表示装置１５やスピーカ２２等の出力内容やランプ装置１８の発光色から不正磁気行為が発生したのを判別し得るから、従業員等は、当該不正磁気行為に素早く対応することができる。なお、主制御装置３１は、不正磁気行為が発生した場合にも、セキュリティー信号をホールコンピュータ１４９に出力する。従って、ホールコンピュータ１４９のディスプレイに何らかの不正行為が発生した旨が表示されて、管理室の管理者等は、不正行為の発生を知ることができる。
【００９０】
〔変更例〕
なお、前述した実施例は、以下に示す通り、種々の変更が可能である。
（１）実施例では、主制御装置は、外部端子板を介して前記ホールコンピュータに電気的に接続する構成とした。そして、主制御装置からのセキュリティー信号は、外部端子板を介してホールコンピュータに入力されるようになっていた(図８参照)。しかしながら、例えば、図３１に示すように、外部端子板１５１を払出制御装置２９に接続して、主制御装置３１が、第３中継基板７２、払出制御装置２９、外部端子板１５１を介してホールコンピュータ１４９に電気的に接続する構成としてもよい。この場合、主制御装置３１から出力されたセキュリティー信号は、第３中継基板７２→払出制御装置２９→外部端子板１５１を経てホールコンピュータ１４９に入力される。
（２）実施例では、何れの不正行為が発生した場合も、主制御装置が同一のセキュリティー信号を出力する構成とした。しかしながら、主制御装置が出力するセキュリティー信号を不正行為毎に変更して、ホールコンピュータでの表示内容が不正行為毎に異なるようにしてもよい。このように、不正行為の種類に応じたセキュリティー信号を出力すれば、ホールコンピュータにおいて、不正電波行為または不正磁気行為の何れが発生したかを管理者等が簡単に判別することができる。
（３）実施例では、断線行為や球抜行為が発生した場合にも、不正電波行為の発生時と同じように液晶表示装置等に報知させる構成とした。しかしながら、断線行為や球抜行為が生じた場合に、夫々異なる態様で報知させるようにしてもよい。例えば、断線行為が発生した場合には、液晶表示装置やスピーカに断線行為が発生した旨を報知させると共に、ランプ装置を第３の色(例えば赤色)で発光させる。また、球抜行為が発生した場合には、液晶表示装置やスピーカに球抜行為が発生した旨を表示させると共に、ランプ装置を第４の色(例えば白色)で発光させる等して、断線行為や球抜行為についても夫々判別し得るようにしてもよい。
（４）実施例では、発振検出状態で出力回路がハイレベル信号を出力し、発振非検出状態で出力回路がローレベル信号を出力する構成とし、ハイレベル信号が出力されたときに主制御装置が不正電波行為の発生を判定する構成とした。しかしながら、出力回路が出力する信号としては、発振検出状態および発振非検出状態に対応した２種類の信号であれば、如何なる信号であってもよい。例えば、実施例とは反対に、発振検出状態でローレベル信号を出力し、発振非検出状態でハイレベル信号を出力する構成としてもよい。この場合、ローレベル信号が入力されたときに、主制御装置は不正電波行為が発生したと判定する。
（５）実施例では、検出センサユニット(状態維持手段)が電波により発振非検出状態(第２状態)から発振検出状態(第１状態)に状態変化される構成とした。しかしながら、磁気により状態変化手段が第２状態から第１状態に変化される構成として、磁気によって、例えば上部始動球検出センサや下部始動球検出センサ、特別球検出センサ等を誤作動させる行為を検出し得るようにしてもよい。
（６）実施例では、状態維持手段としてパチンコ球である検出用金属球を採用したが、状態維持手段としては、発振回路の発振を停止または減衰させ得る磁性体であれば、如何なるものであってもよい。例えば、角柱状や円柱状の金属体を状態維持手段として採用し得る。
（７）実施例では、不正検出装置を、設置部材に設けたが、遊技盤の裏側に設けてもよい。また、複数の不正検出装置を遊技機に設置してもよい。
（８）実施例では、収容空間を左右に２つ設けたが、収容空間を１つとしたり、３つ以上設けてもよい。
（９）実施例では、不正防止部材は、前方に開放する箱状としたが、前側を閉じた構成としてもよい。また、不正防止部材の内部を中実としてもよい。
（１０）実施例では、仕切壁により不正防止部材の内部を分割したが、例えば、不正防止部材の内部に突起状の仕切部材を複数設けて、不正防止部材の内部空間を分割してもよい。
（１１）実施例では、固定部としての球通路固定部材に収容空間を形成したが、例えば、演出装置を設置するための固定部の後側に収容空間を画成する構成としてもよい。
（１２）実施例では、挿通孔(第１配線口,第２配線口)を介して、センサ(第１,第２磁気センサ)の配線を挿通する構成としたが、挿通孔を介してセンサをセンサ保持部に着脱する構成としてもよい。この場合、不正防止部材を空間から取り外すことなくセンサをセンサ保持部に着脱し得るので、作業を効率的にし得る。
（１３）実施例では、上下左右の枠部材を組み付けて中枠を構成したが、中枠を一体物で構成してもよい。
【符号の説明】
【００９１】
１２  遊技盤
１２６  検出センサユニット  
１２７  検出用金属球(金属球)
１２８  ケース体
１２９  センサ装置本体
１３０  検出口
１３１  検出コイル
１３２  第１半体
１３３  第２半体
１３４  第１ケース基体(ケース基体)
１３５  第１外壁部(壁部)
１３７  ケース体ボス受け(取付部)
１３８  第１規制壁(規制部)
１３９  案内リブ
１４０  係止段部
１４２  第２ケース基体(ケース基体)
１４３  第２外壁部(壁部)
１４４  係止片
１４６  第２規制部(規制部)
Ｆ  発振回路
Ｇ  発振検出回路
【図１】
0005674528.tif 000002
【図２】
0005674528.tif 000003
【図３】
0005674528.tif 000004
【図４】
0005674528.tif 000005
【図５】
0005674528.tif 000006
【図６】
0005674528.tif 000007
【図７】
0005674528.tif 000008
【図８】
0005674528.tif 000009
【図９】
0005674528.tif 000010
【図１０】
0005674528.tif 000011
【図１１】
0005674528.tif 000012
【図１２】
0005674528.tif 000013
【図１３】
0005674528.tif 000014
【図１４】
0005674528.tif 000015
【図１５】
0005674528.tif 000016
【図１６】
0005674528.tif 000017
【図１７】
0005674528.tif 000018
【図１８】
0005674528.tif 000019
【図１９】
0005674528.tif 000020
【図２０】
0005674528.tif 000021
【図２１】
0005674528.tif 000022
【図２２】
0005674528.tif 000023
【図２３】
0005674528.tif 000024
【図２４】
0005674528.tif 000025
【図２５】
0005674528.tif 000026
【図２６】
0005674528.tif 000027
【図２７】
0005674528.tif 000028
【図２８】
0005674528.tif 000029
【図２９】
0005674528.tif 000030
【図３０】
0005674528.tif 000031
【図３１】
0005674528.tif 000032